(57)【要約】【課題】屋根材の施工開始用の唐草材を施工し、横葺の長尺屋根材の釘打片を屋根下地の防水紙の上に釘打ち固定して施工する、横葺の屋根構造において、防水紙の表面においての水溜まりを解消する屋根構造に関する。【解決手段】毛管現象による雨漏りを解消するため下方の防水紙と上方の防水紙とを隙間無く重ねてつなげた防水紙の上に施工する、屋根材の裏側に侵入した雨水等を、長尺屋根材の釘打片の上方の雨水等を下方に流す木摺抜口か、唐草の上方の雨水等を下方に流して屋根構造外に排出する唐草抜口の、雨水等を下方に流す少なくとも一種類の手段による、雨水等を下方に流す、防水紙の表面においての水溜まりを解消する屋根構造と防水紙と唐草材および屋根材とする。【選択図】図１
2010095985.tif 000002
【特許請求の範囲】
【請求項１】
横葺の長尺屋根材の一側端に前端面と差込片とを形成し、他の屋根材の差込片が差し込まれる嵌合溝と釘打片とを他側端に形成し、その釘打片を防水紙を張った屋根下地に釘打ち固定する屋根材と、ほぼ平坦な唐草面と唐草爪とを形成した唐草を屋根下地に釘打ち固定し、前記の屋根材の差込片を、その唐草面と唐草爪との間に差し込む、横葺の屋根構造において、下方の防水紙と上方の防水紙とを隙間無く重ねてつなげた防水紙の上に施工する、長尺屋根材の釘打片の上方の雨水等を下方に流す木摺抜口か、唐草の上方の雨水等を下方に流して屋根構造外に排出する唐草抜口の、雨水等を下方に流す少なくとも一種類の手段を形成して、屋根材の裏側に侵入した雨水等を下方に流す、水溜まり解消屋根構造。
【請求項２】
防水紙を折り畳んだ防水木摺折による防水木摺か、長尺の防水木摺台を貼り付けることによる防水木摺の、少なくとも一種類の防水木摺による木摺抜口を形成したことを特徴とする請求項１の水溜まり解消屋根構造に使用する防水紙。
【請求項３】
唐草の上方の雨水等を流し込む取入口と、さらに、流し込まれた雨水等を下方に流して屋根構造外に排出する排出口とをそれぞれ形成したことによる唐草抜口か、唐草を唐草台を挟んで屋根下地に施工することにより唐草と屋根下地との間に隙間を形成したことによる唐草抜口かの、少なくとも一種類の唐草抜口を形成したことを特徴とする請求項１の水溜まり解消屋根構造に使用する唐草材。
【請求項４】
屋根材の釘打片の途中に、釘打片の一部を裏面側に突起させた屋根木摺脚による屋根木摺か、小さな板状に形成した屋根木摺板を貼り付けることによる屋根木摺か、釘打片の一部を切り欠いた屋根木摺口による屋根木摺かの、少なくとも一種類の屋根木摺を複数形成した木摺抜口を形成したことを特徴とする請求項１の水溜まり解消屋根構造に使用する屋根材
【発明の詳細な説明】
【技術分野】
【０００１】  この発明は、屋根材の施工開始用の唐草材を施工し、横葺の長尺屋根材の釘打片を屋根下地の防水紙の上に釘打ち固定して施工する、横葺の屋根構造において、屋根材の接続部から侵入した雨水や、屋根材の裏面において結露した結露水等の、屋根材の裏側に侵入した雨水等を下側に流して屋根構造外に排出して、屋根構造内部においての水溜まりを解消する屋根構造に関する。
【背景技術】
【０００２】  従来、屋根材の裏側に侵入した雨水等を軒側へ流す屋根構造の技術には、波板形ルーフィングの上に屋根材を配置する、屋根葺き構造がある。
（例えば、特許文献１参照）。
【特許文献１】  特開２００２−２９４９４２号公報
【発明の開示】
【発明が解決しようとする課題】
【０００３】Ａ．屋根材の施工開始用の唐草材を施工し、横葺の長尺屋根材の釘打片を屋根下地の防水紙の上に釘打ち固定して施工する、横葺の屋根構造において、
ａ．屋根材の接続部から侵入した雨水や、屋根材の裏面において結露した結露水等の、屋根材の裏側に侵入した雨水等は、
ｂ．防水紙の上に施工された釘打片によりせき止められて水溜まりを形成し、また、唐草材でもせき止められて水溜まりを形成していた、
ｃ．それらの水溜まりは、長期に形成される場合、
イ．屋根材の釘孔や防水紙の留め付け用のタッカー針の孔からしみ出して雨漏れになり、
ロ．屋根下地や屋根材等を腐食させていた、
Ｂ．そのため屋根材の裏側に侵入した雨水等を軒側へ流す技術が要求されるが、
ａ．従来の、波板形ルーフィングの上に屋根材を配置する、屋根葺き構造では、
イ．単に波板形のベース紙によるルーフィングだけでは強度的に弱く、
ロ．そのためベース紙に裏打ち紙を貼り付けて、ベース紙の各溝どうしのピッチは裏打ち紙によって保持されるので、
ハ．厚み方向から大きな圧力が加えられても波板形状が簡単に潰れることは無い、
ニ．として、少なくとも普通の大人が乗ったぐらいではその溝が簡単に潰れることは無い、とのことだが、
ｂ．たとえば釘の上に普通の大人が乗ることにより、その釘を合板に打ち込むことは不可能であるように、
イ．釘打ちには大人が乗ったぐらい以上の瞬間的に強大な圧力が加わるため、
ロ．それらの溝が潰れて溝を塞ぎ水溜まりとなる問題があり、
ｃ．また、そのピッチを小さくして各溝の高さを低くすると、強度的には向上するが、
イ．下方のルーフィングと上方のルーフィングとの重ねの部分の溝に、毛管現象による水が溜まり、
ロ．風力の変動や、それによる屋根材の脈動によって、屋根葺き構造内部の圧力が変動して、
ハ．その溜まった水が屋根下地に押し出されて、雨漏りとなる問題があり、
ｄ．そのためにアスファルトルーフィングにより雨漏り解消した上に波板形ルーフィングを貼る必要があり、
イ．施工手間がかかりコストアップとなる問題があった。
【課題を解決するための手段】
【０００４】  この発明は、横葺の長尺屋根材の一側端に前端面と差込片とを形成し、他の屋根材の差込片が差し込まれる嵌合溝と釘打片とを他側端に形成し、その釘打片を防水紙を張った屋根下地に釘打ち固定する屋根材と、ほぼ平坦な唐草面と唐草爪とを形成した唐草を屋根下地に釘打ち固定し、前記の屋根材の差込片を、その唐草面と唐草爪との間に差し込む、横葺の屋根構造において、毛管現象による雨漏りを解消するため下方の防水紙と上方の防水紙とを隙間無く重ねてつなげた防水紙の上に施工する、屋根材の裏側に侵入した雨水等を、長尺屋根材の釘打片の上方の雨水等を下方に流す木摺抜口か、唐草の上方の雨水等を下方に流して屋根構造外に排出する唐草抜口の、雨水等を下方に流す少なくとも一種類の手段による、雨水等を下方に流して屋根構造外に排出する、防水紙の表面においての水溜まりを解消する屋根構造とする。
【発明の効果】
【０００５】  この発明による水溜まり解消屋根構造と防水紙と唐草材および屋根材には、次のような効果がある。【０００６】Ａ．下方の防水紙と上方の防水紙とを隙間無く重ねてつなげた防水紙の上に施工する、屋根材の裏側に侵入した雨水等を、長尺屋根材の釘打片の上方の雨水等を下方に流す木摺抜口を形成した水溜まり解消屋根構造とすることにより、
ａ．下方の防水紙と上方の防水紙とを隙間無く重ねてつなげたために、その隙間に毛管現象により雨水が溜まり、風力の変動によって屋根材が脈動して屋根構造内部の圧力が変動して、その溜まった水が屋根下地に押し出されることによる、雨漏りを解消可能となり、
ｂ．また、木摺抜口を形成するために、防水紙によって最適に雨漏りを解消して、木摺抜口により長尺屋根材の釘打片の上方の雨水等を下方に流すことが可能となり、
ｃ．そのことにより、毛管現象による雨漏れを解消しながら、屋根材の裏側に侵入した雨水等の釘打片によるせき止めによる、雨水等の水溜まりをすぐに下方に流して、水溜まりが長期に亘って形成されることをなくし、
イ．屋根材の釘孔や防水紙の留め付け用のタッカー針の孔からしみ出すことによる雨漏れを防ぐとともに、
ロ．屋根下地や屋根材等の腐食を防げる。【０００７】Ｂ．唐草の上方の雨水等を下方に流して屋根構造外に排出する唐草抜口を形成した水溜まり解消屋根構造とすることにより、
ａ．屋根材の裏側に侵入した雨水等や、施工された唐草と屋根材との隙間から風圧により押されて流れ込む雨水等を、唐草抜口により唐草の下方に流して屋根構造外に排出可能となり、
ｂ．そのことにより、屋根材の裏側に侵入した雨水等の唐草によるせき止めによる、雨水等の水溜まりをすぐに下方に流して、水溜まりが長期に亘って形成されることをなくし、
イ．屋根材や唐草の釘孔や防水紙の留め付け用のタッカー針の孔からしみ出すことによる雨漏れを防ぐとともに、
ロ．屋根下地や屋根材や唐草等の腐食を防げる。【０００８】Ｃ．下方の防水紙と上方の防水紙とを隙間無く重ねてつなげた防水紙の上に施工する、屋根材の裏側に侵入した雨水等を、長尺屋根材の釘打片の上方の雨水等を下方に流す木摺抜口と、屋根材と防水紙の間に雨水等を下方に流す裏打隙間と、唐草の上方の雨水等を下方に流して屋根構造外に排出する唐草抜口とを形成した水溜まり解消屋根構造とすることにより、
ａ．長尺屋根材の釘打片の上方の雨水等を下方に流す木摺抜口により、屋根材と防水紙の間の裏打隙間に雨水等を流し込み、さらに、その裏打隙間を通じて下方の屋根材の釘打片の上方に雨水等を流し、
ｂ．上記を繰り返して、唐草の上方に雨水等を流し込まれ、さらに唐草抜口を通じて下方に流されて屋根構造外に排出可能となり、
ｃ．屋根を形成する一連の斜面の屋根材の裏側に侵入した雨水等を、その下方の唐草抜口を通じて下方に流されて屋根構造外に排出可能となり、
ｄ．屋根全体の水溜まり解消屋根構造を実現可能となり、
イ．屋根全体の屋根材の釘孔や防水紙の留め付け用のタッカー針の孔からしみ出すことによる雨漏れを防ぐとともに、
ロ．屋根全体の屋根下地や屋根材等の腐食を防げる。【０００９】Ｄ．防水紙を折り畳んだ防水木摺折による防水木摺か、長尺の防水木摺台を貼り付けることによる防水木摺の、少なくとも一種類の防水木摺による木摺抜口を形成する防水紙とすることにより、
ａ．防水木摺を形成した防水紙としたために、屋根材をその上に施工すると、屋根下地に直接張られた防水紙より突起した防水木摺の上に、屋根材とその釘打片が施工され、
イ．屋根下地に直接張られた防水紙の表面と釘打片との間の隙間による木摺抜口が容易に形成されて、
ロ．屋根下地に直接張られた防水紙の表面と屋根材との間の隙間による裏打隙間が容易に形成されて、
ハ．従来の屋根下地に施工する屋根材を変更無く、木摺抜口と裏打隙間とが形成可能となり、
ｂ．防水紙を折り畳んだ防水木摺折による防水木摺を形成した防水紙とすることにより、
イ．製造材料が防水紙であり、しかも一部を折り畳み加工することによる生産が可能であり、連続生産が容易になり、低コストになり、
ロ．防水紙を折り畳んだ防水木摺折となり、厚み方向からの大きな圧力にも潰れずに、釘打片の釘打ちによっても、木摺抜口が塞がることはなく、
ハ．下方の防水紙の上に上方の防水紙を重ねて被せる時、約防水木摺折の高さの２倍分だけ長さがよけい必要となるが、重ねる部分の折返しをその分戻す事により、防水紙どうしを隙間無く重ねて施工することが可能となり、防水木摺折どうしのピッチを一定にすることが可能となり、
ｃ．長尺の防水木摺台を貼り付けることによる防水木摺を形成する防水紙とすることにより、
イ．防水木摺台の高さを任意に選択可能となり、最適な隙間の木摺抜口と裏打隙間とが形成可能となり、
ロ．この様な屋根材を施工した時に施工者が屋根材の上に乗った時に、その荷重を屋根下地に屋根材が接触するまでのたわみにより受け止めることになるが、前記の隙間が大き過ぎると、復元不可能な歪みが屋根材に加わる場合があるが、施工者が屋根材の上に乗った時に復元可能な隙間で、良好な水溜まり解消性能となる隙間が選択可能となり、
ハ．屋根材の耐荷重性能と水溜まり解消性能との選択の自由度が向上し、
ニ．また、防水木摺台の長さを、防水紙の幅より短くして、防水木摺台を貼り付けてない防水重覆縁を形成することを可能とし、
ホ．下方の防水紙と上方の防水紙とを隙間無く重ねてつなげることを容易に可能として、
ヘ．施工性が向上する。【００１０】Ｅ．唐草の上方の雨水等を流し込む取入口と、さらに、流し込まれた雨水等を下方に流して屋根構造外に排出する排出口とをそれぞれ形成したことによる唐草抜口か、唐草を唐草台を挟んで屋根下地に施工されることによる唐草と屋根下地との間に隙間を形成したことによる唐草抜口かの、少なくとも一種類の唐草抜口を形成した唐草材とすることにより、
ａ．唐草抜口を形成した唐草材としたために、唐草材を施工方法に従って施工すると唐草抜口が確保されて、
イ．唐草の上方の雨水等を流し込み下方に流して屋根構造外に排出する唐草抜口が容易に形成されて、
ロ．唐草周辺の水溜まり解消屋根構造が容易に実現し、
ｂ．取入口と排出口とをそれぞれ形成した唐草抜口とすることにより、
イ．唐草抜口は屋根構造外から屋根材の裏側に通じているため、風圧力により雨水等が押し上げられる可能性があるが、取入口か排出口のどちらか一方かその両方を狭くすることが可能となり、
ロ．狭い取入口か排出口による風圧力が、広い屋根構造内部に伝わり、風圧力を小さくすることが可能になり、風圧力による雨水等の押し上げが防止され、風圧力が強い時でも水溜まり解消性能が確保可能になり、
ハ．押出型材で成型した取入口と排出口とを唐草面の裏側に形成することにより、
ニ．唐草抜口が押出型材により確保されて、唐草と屋根材との隙間から風圧により押されて流れ込む雨水等を直ちに取入口に流し込む事が確実に可能となり、
ホ．唐草固定片にあけた小孔の取入口と、唐草面の下部に沿った隙間による排出口と、その間に比較的大きな空間を形成することにより、
ヘ．狭い排出口からの風圧力が、取入口と排出口間の比較的大きな空間により減衰されて、さらに、小孔の取入口により減衰されて、広い屋根構造内部に伝わり、さらに風圧力を小さくすることが可能になり、
ト．唐草固定片にあけた取入口と位置決めをする切起片を形成することにより、
チ．唐草と屋根下地との間に一定の隙間による狭い排出口を形成可能となり、唐草の成型が小幅の金属板から成形可能となり、低コストとなり、
ｃ．唐草を唐草台を挟んで屋根下地に施工されることにより、唐草と屋根下地との間に隙間を形成したことによる唐草抜口とすることにより、
イ．唐草台を挟んで屋根下地に施工する事により容易に唐草抜口を形成可能となり、
ロ．唐草台を屋根下地に施工後に、唐草を施工することにより、
ハ．唐草台が小部品となり製造が容易になり、低コストとなり、
ニ．唐草台を取り付けた唐草とすることにより、
ホ．施工手間が低下し、施工性が向上する。【００１１】Ｆ．屋根材の釘打片の途中に、釘打片の一部を裏面側に突起させた屋根木摺脚による屋根木摺か、小さな板状に形成した屋根木摺板を貼り付けることによる屋根木摺か、釘打片の一部を切り欠いた屋根木摺口による屋根木摺かの、少なくとも一種類の屋根木摺を複数形成した木摺抜口を形成した屋根材とすることにより、
ａ．屋根木摺を複数形成した屋根材としたために、防水紙の上に施工することにより木摺抜口が確保されて、
イ．釘打片の上方の雨水等を下方に流す木摺抜口が容易に形成されて、
ロ．屋根材の釘打片周辺の水溜まり解消屋根構造が容易に実現し、
ｂ．屋根材の釘打片の途中に、釘打片の一部を裏面側に突起させた屋根木摺脚による屋根木摺を複数形成した木摺抜口を形成した屋根材とすることにより、
イ．屋根材と屋根木摺脚が一体となっているため、
ロ．輸送時の荷ずれや施工時切断による屋根木摺の剥がれ等が無くなり、施工性が向上し、
ハ．プレス等による加工により成形可能であるため、生産ラインに組み込むことが容易となり、低コストとなり、
ニ．また、あらたな材料を要しないため、低コストとなり、
ｃ．小さな板状に形成した屋根木摺板を貼り付けることによる屋根木摺を複数形成した木摺抜口を形成した屋根材とすることにより、
イ．屋根材と別の素材の屋根木摺板とすることが可能になり、
ロ．屋根木摺板を断熱性能の高い合成樹脂製とすることが可能となり、
ハ．屋根構造の断熱性能が向上し、
ニ．雨水等により濡れる可能性のある防水紙の表面に、耐食性の有る合成樹脂製等の屋根木摺板を施工し、金属板による屋根材の釘打片を防水紙から離すために、屋根材の耐食性が向上し、
ｄ．釘打片の一部を切り欠いた屋根木摺口による屋根木摺を複数形成した木摺抜口を形成した屋根材とすることにより、
イ．屋根材と屋根木摺口が一体となっているため、
ロ．輸送時の荷ずれや施工時切断による屋根木摺の剥がれ等が無くなり、施工性が向上し、
ハ．プレス等による加工により成形可能であるため、生産ラインに組み込むことが容易となり、低コストとなり、
ニ．また、あらたな材料を要しないため、低コストとなる。【００１２】Ｇ．既存屋根の改修において、既存葺材の先端を覆う鼻覆により覆い、唐草の上方の雨水等を下方に流して屋根構造外に排出する唐草抜口を形成した水溜まり解消屋根構造とすることにより、
ａ．既存葺材を鼻覆により覆うことにより、既存屋根の屋根葺材の地震等によるずれや風化等による部分剥落等による先端部の凹凸があっても、唐草と鼻覆との間に一定の隙間を形成可能となり、
イ．その唐草と鼻覆との間の一定の隙間による排出口が形成可能となり、
ロ．唐草抜口を形成した水溜まり解消屋根構造が容易に形成され、
ｂ．唐草と鼻隠を一体として成形する、鼻隠とすることにより、
イ．取入口と排出口とが確保されて、鼻隠と一体の唐草を施工することにより唐草抜口を既存屋根の改修において、容易に水溜まり解消屋根構造とするこが可能となり、
ｃ．排出口の上方の隙間を、排出口の隙間よりひろく形成することにより、
イ．狭い排出口からの風圧力が、排出口の上方の比較的大きな空間により減衰されて、風圧力を小さくすることが可能になる。
【発明を実施するための最良の形態】
【００１３】Ａ．この発明による金属板と押出型材は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等
ｆ．次に代表される押出型材
イ．アルミニウム押出型材
ロ．塗装アルミニウム押出型材
ハ．金属複合合成樹脂押出型材等を使用する。【００１４】Ｂ．この発明に使用される屋根材や部材の釘打ち固定には、
ａ．次に代表される、固定具を使用し、
イ．セルフドリリングタッピングビス
ロ．釘
ハ．タッカー針
ニ．木ネジ
ホ．コースレッド等
ｂ．また、ネジは、
イ．セルフドリリングタッピングビス
ロ．木ネジ
ハ．コースレッド等を使用する。【００１５】Ｃ．この発明に使用される発泡合成樹脂と裏面材と合成樹脂板と防水紙等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とすることも可能である。
ｂ．この発明の合成樹脂板には、
イ．合成樹脂板
ロ．低発泡の発泡合成樹脂
ハ．木材・合板等が使用され、
ｃ．この発明の防水紙には、
イ．ゴムアスファルトルーフィング
ロ．アスファルトルーフィング
ハ．アスファルトフェルト
ニ．ブチルゴム系防水シート
ホ．シート防水材
ヘ．アクリル系防水シート等が使用される。【００１６】  発明の実施例について、次の、実施例１、実施例２、実施例３、実施例４、及び実施例５により、図面を参照して説明する。
【実施例１】
【００１７】  図１，図２，図３，図４，図５，図６，図７，図８，及び図９は、この発明の実施例１を示すものである。【００１８】Ａ．図２及び図３に示す、実施例１においての屋根材１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ｄ．それに、屋根材１の長手方向の一端に、次のような遮水突条１ｐと被重継端１ｑとを持つ被重継面１ｏを形成し、
イ．屋根板面１ｂの前端面１ｃと嵌合溝１ｅ側に、表面材１ａをほぼ線状に表面側に突起させた互いに並行する複数の遮水突条１ｐを形成し、
ロ．その屋根板面１ｂを延長して、表面側に鋭角的に折り曲げて、嵌合溝１ｅ側の折り曲げを押しつぶした被重継端１ｑとを持つ被重継面１ｏを形成し、
ｅ．また、次のような重継覆面１ｒと重継水抜１ｓと重継覆端１ｔと重継覆鈎１ｕと重継中溝１ｖとを、屋根材１の長手方向の他端に形成し、
イ．その屋根板面１ｂと前端面１ｃとを、裏面側に鋭角的に折り曲げた重継覆端１ｔを持つ、重継覆面１ｒを形成し、
ロ．その前端面１ｃと差込片１ｄとを一部切り欠いて、重継水抜１ｓを形成し、
ハ．その差込片１ｄを切り欠いて残し、表面側に少し拡張した重継覆鈎１ｕを形成し、
ニ．その釘打片１ｇとそれに続く嵌合溝１ｅの外側を切り欠いて、裏面側に少し押しつぶした重継中溝１ｖを形成し、
ｆ．それと共に、成形した表面材１ａの裏面側に、
イ．前端面１ｃと屋根板面１ｂとの屈曲部から、嵌合溝１ｅ側の側端に亘る間を、裏面材１ｍにより覆った、発泡合成樹脂６による次のような裏打材１ｌを形成し、
ロ．その裏打材１ｌの幅方向の断面は、屋根板面１ｂを底辺とし、その頂点が差込片１ｄ側によった薄い三角形に形成し、
ハ．それらの裏打材１ｌと裏面材１ｍとを切断して、長手方向の両端に切断面１ｎを形成し、
ニ．重継覆面１ｒの裏面の裏打材１ｌを無くしている。【００１９】Ｂ．図４に示す、実施例１の唐草２は、押し出しによる長尺の押出型材５ａを次のように成形して、
ａ．ほぼ平坦な、唐草面２ａの一側端を表面側にＬ字形に折り曲げて、唐草爪２ｂを形成し、
ｂ．その唐草面２ａの裏面の中程から、唐草爪２ｂ側の唐草面２ａに対して、裏面側に鋭角に分岐して取入底２ｇを形成し、
イ．その取入底２ｇに、複数個の次のような排出口２ｈを形成し、
ロ．その排出口２ｈは、唐草面２ａから取入底２ｇへの屈曲部に開口するＵ字型に、押出型材５ａを切り抜いて形成し、
ｃ．前記の取入底２ｇを表面側にくの字形に折り曲げて、取入口２ｄを形成し、
ｄ．その取入口２ｄを裏面側にＬ字形に折り曲げて、唐草固定片２ｃを形成している。【００２０】Ｃ．図５に示す、実施例１の防水紙３は、
ａ．ほぼ平坦な、防水表面３ａに次のような防水木摺３ｃを複数形成し、
イ．その防水木摺３ｃは、防水紙３をその側端に直角に表面側に折り返して、
ロ．更に裏面側に折り返して、前記の防水紙３の折返しにそってクランク状に裏面側に折れ曲がって、折り畳まれた防水木摺折３ｄによりなり、
ハ．その防水木摺折３ｄの幅は細くて、その防水木摺折３ｄの中心線間の距離は屋根下地４ｅの垂木４ａの中心線間の距離に合わせてあり、
ｂ．防水紙３の裏面には、屋根下地４ｅの野地板４ｃ等に粘着する、粘着面３ｂを形成している。【００２１】Ｄ．図１，図６，図７，図８，及び図９に示す、実施例１の屋根４の施工は、
ａ．一連の斜面の屋根下地４ｅの複数の垂木４ａの木口に鼻隠４ｂを取り付けてあり、
ｂ．その鼻隠４ｂと垂木４ａの先端部に乗せて、広小舞４ｄを取り付けて、
ｃ．その広小舞４ｄに接して野地板４ｃを垂木４ａに乗せて取り付けて、
イ．さらに、その取り付けた野地板４ｃに接して、他の野地板４ｃを複数取り付け、
ロ．その屋根４を形成する一連の斜面の垂木４ａを、複数の野地板４ｃにより取り付けて覆い、
ｄ．その広小舞４ｄの先端の上方の角に、前記の唐草２の唐草固定片２ｃと取入口２ｄとの角を合わせて、その唐草固定片２ｃを広小舞４ｄに釘打ち固定し、
ｅ．その唐草２の唐草固定片２ｃとそれに続く野地板４ｃ上に、防水紙３の防水木摺折３ｄの側端を垂木４ａの中心線付近に合わせて、その防水紙３の粘着面３ｂを貼り付けて、
イ．その貼り付けた防水紙３の流れ方向の上方の側端に、他の防水紙３の側端を重ねて、後者の防水紙３の防水木摺折３ｄを、前者の防水紙３の防水木摺折３ｄの位置しない垂木４ａの上方の位置に貼り付けて、
ロ．上記を繰り返して、その屋根４を形成する一連の斜面の唐草２の唐草固定片２ｃとそれに続く野地板４ｃ上を、複数の防水紙３を貼り付けて覆い、
ｆ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇを野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｇ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｈ．さらに、上記を以降の段に繰り返して、屋根４を形成する一連の斜面を屋根材１により覆い、
ｉ．上記の様にして施工された屋根材１の釘打片１ｇは、防水紙３の防水木摺３ｃである防水木摺折３ｄの上に乗っているため、
イ．防水木摺折３ｄ以外の防水表面３ａと屋根材１の釘打片１ｇとの間の隙間による、木摺抜口４ｆと、
ロ．防水木摺折３ｄ以外の防水表面３ａと屋根材１の裏打材１ｌとの間の隙間による、裏打隙間４ｈとを構成し、
ｊ．また、施工された唐草２の取入口２ｄと排出口２ｈとにより、唐草抜口４ｇを構成している。【００２２】Ｅ．前記の実施例１の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇが、防水紙３の防水木摺３ｃである防水木摺折３ｄの上に乗っているために形成される、
ロ．防水木摺折３ｄ以外の防水表面３ａと屋根材１の釘打片１ｇとの間の隙間による、木摺抜口４ｆを通じて、
ハ．後者の屋根材１の裏打材１ｌによる、裏打隙間４ｈの防水紙３の防水表面３ａに流れ込み、
ニ．以下の段にも同様に繰り返して、施工された唐草２の取入口２ｄに流れ込み、その排出口２ｈより、唐草面２ａの裏面に伝わり、さらにその下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．唐草２の取入口２ｄに流れ込み、その排出口２ｈより、唐草面２ａの裏面に伝わり、さらにその下端から滴下して排出される。
【実施例２】
【００２３】  図２，図３，図１０，図１１，図１２，図１３，図１４，図１５，及び図１６は、この発明の実施例２を示すものである。【００２４】Ａ．図２及び図３に示す、実施例２においての屋根材１は、実施例１と同じものである。【００２５】Ｂ．図１１に示す、実施例２の唐草２と唐草台２ｉは、
ａ．唐草２は、長尺の金属板５を成形して、
イ．ほぼ平坦な、唐草面２ａの一側端を裏面側に折り返し先端とし、他側端を表面側にＬ字形に折り曲げて、裏面側に折り返した、唐草爪２ｂを形成し、
ロ．その唐草爪２ｂを、鈍角的なクランク状に裏面側に折り曲げて、その先端を表面側に折り返した唐草固定片２ｃを形成し、
ｂ．また、唐草台２ｉは、矩形の金属板５を成形して、
イ．矩形の短辺側の断面形状が、ほぼ平坦な辺の両側を、鈍角のクランク状に裏面側に折り曲げて、
ロ．その両側の中心より偏った位置で、両側からクランクの傾斜部までに切り込みを入れて、その切り込みの間を裏面側に、Ｌ字形に折り曲げて、長さの短い台前面２ｋと、長さの長い台固定片２ｊとを形成している。【００２６】Ｃ．図１２に示す、実施例２の防水紙３は、
ａ．防水紙３の表面に防水表面３ａと、その裏面の粘着面３ｂを形成し、
ｂ．その粘着面３ｂに次のような防水木摺台３ｅを複数貼り付けて、防水木摺３ｃを構成し、
イ．その防水木摺台３ｅは、長尺の金属板５を成形して、幅方向の断面形状をほぼ平坦な辺の両側を、鈍角のクランク状に裏面側に折り曲げてあり、
ロ．防水木摺台３ｅの長さは、防水紙３の幅より短く、
ハ．防水木摺台３ｅを、防水紙３の片方の縁に寄せて、その縁に対して直角に、その表面を貼り付けてあり、
ニ．防水木摺台３ｅの貼り付けてない側に、防水紙３は防水重覆縁３ｆを形成している。【００２７】Ｄ．図１０，図１３，図１４，図１５，及び図１６に示す、実施例２の屋根４の施工は、
ａ．一連の斜面の屋根下地４ｅの複数の垂木４ａの木口に鼻隠４ｂを取り付けてあり、
ｂ．その鼻隠４ｂと垂木４ａの先端部に乗せて、広小舞４ｄを取り付けて、
ｃ．その広小舞４ｄに接して野地板４ｃを垂木４ａに乗せて取り付けて、
イ．さらに、その取り付けた野地板４ｃに接して、他の野地板４ｃを複数取り付け、
ロ．その屋根４を形成する一連の斜面の垂木４ａを、複数の野地板４ｃにより取り付けて覆い、
ｄ．その広小舞４ｄの先端の上方の角から前面に向けて、前記の防水紙３の防水重覆縁３ｆを折り曲げて、また、防水紙３の防水木摺台３ｅの中心を垂木４ａの中心線付近に合わせて、その防水紙３の粘着面３ｂを貼り付け、
イ．その貼り付けた防水紙３の流れ方向の上方の側端に、他の防水紙３の防水重覆縁３ｆを重ねて貼り付けて、
ロ．上記を繰り返して、その屋根４を形成する一連の斜面の広小舞４ｄとそれに続く野地板４ｃ上を、複数の防水紙３を貼り付けて覆い、
ｅ．その広小舞４ｄの防水重覆縁３ｆの先端の上方の角に、唐草台２ｉの台前面２ｋと台固定片２ｊとの角を合わせて、
イ．また、その中心を、防水紙３の防水木摺台３ｅの中心線付近に合わせて、その台固定片２ｊを広小舞４ｄに釘打ち複数固定し、
ｆ．そして、固定された唐草台２ｉの台前面２ｋと台固定片２ｊとの角に、前記の唐草２の唐草固定片２ｃの延長面と唐草面２ａとの角を合わせて、その唐草固定片２ｃを広小舞４ｄに釘打ち固定し、
ｇ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇを野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｇ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｈ．さらに、上記を以降の段に繰り返して、屋根４を形成する一連の斜面を屋根材１により覆い、
ｉ．上記の様にして施工された屋根材１の釘打片１ｇは、防水紙３の防水木摺３ｃである防水木摺台３ｅに持ち上げられた防水紙３の上に乗っているため、
イ．防水木摺３ｃ以外の防水表面３ａと屋根材１の釘打片１ｇとの間の隙間による、木摺抜口４ｆと、
ロ．防水木摺３ｃ以外の防水表面３ａと屋根材１の裏打材１ｌとの間の隙間による、裏打隙間４ｈとを構成し、
ｊ．また、施工された唐草２は、唐草台２ｉを介して防水紙３の上に乗っていることにより、防水紙３と唐草２との間に隙間が形成され、唐草抜口４ｇを構成している。【００２８】Ｅ．前記の実施例２の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇが、防水紙３の防水木摺３ｃである防水木摺台３ｅに持ち上げられた防水紙３の上に乗っているために形成される、
ロ．防水木摺３ｃ以外の防水表面３ａと屋根材１の釘打片１ｇとの間の隙間による、木摺抜口４ｆを通じて、
ハ．後者の屋根材１の裏打材１ｌによる、裏打隙間４ｈの防水紙３の防水表面３ａに流れ込み、
ニ．以下の段にも同様に繰り返して、施工された唐草２の唐草固定片２ｃと防水紙３の防水表面３ａに流れ込み、
ホ．次に、その唐草２の唐草面２ａと防水紙３の防水表面３ａに流れ込み、唐草面２ａの裏面に伝わり、さらにその下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．施工された唐草２の唐草固定片２ｃを通って、
ロ．その唐草２の唐草面２ａと防水紙３の防水表面３ａに流れ込み、唐草面２ａの裏面に伝わり、さらにその下端から滴下して排出される。
【実施例３】
【００２９】  図１７，図１８，図１９，図２０，図２１，図２２，図２３，図２４，及び図２５は、この発明の実施例３を示すものである。【００３０】Ａ．図１８及び図１９に示す、実施例３においての屋根材１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ニ．その釘打片１ｇの途中に、次のような屋根木摺１ｈである屋根木摺脚１ｊを複数形成し、
ホ．その屋根木摺脚１ｊは、釘打片１ｇを釘打片１ｇの先端側の側板を欠くほぼ矩形の箱形に裏面側に突起させて形成し、
ｄ．それに、屋根材１の長手方向の一端に、次のような遮水突条１ｐと被重継端１ｑとを持つ被重継面１ｏを形成し、
イ．屋根板面１ｂの前端面１ｃと嵌合溝１ｅ側に、表面材１ａをほぼ線状に表面側に突起させた互いに並行する複数の遮水突条１ｐを形成し、
ロ．その屋根板面１ｂを延長して、表面側に鋭角的に折り曲げて、嵌合溝１ｅ側の折り曲げを押しつぶした被重継端１ｑとを持つ被重継面１ｏを形成し、
ｅ．また、次のような重継覆面１ｒと重継水抜１ｓと重継覆端１ｔと重継覆鈎１ｕと重継中溝１ｖとを、屋根材１の長手方向の他端に形成し、
イ．その屋根板面１ｂと前端面１ｃとを、裏面側に鋭角的に折り曲げた重継覆端１ｔを持つ、重継覆面１ｒを形成し、
ロ．その前端面１ｃと差込片１ｄとを一部切り欠いて、重継水抜１ｓを形成し、
ハ．その差込片１ｄを切り欠いて残し、表面側に少し拡張した重継覆鈎１ｕを形成し、
ニ．その釘打片１ｇとそれに続く嵌合溝１ｅの外側を切り欠いて、裏面側に少し押しつぶした重継中溝１ｖを形成し、
ｆ．それと共に、成形した表面材１ａの裏面側に、
イ．前端面１ｃと屋根板面１ｂとの屈曲部から、嵌合溝１ｅ側の側端に亘る間を、裏面材１ｍにより覆った、発泡合成樹脂６による次のような裏打材１ｌを形成し、
ロ．その裏打材１ｌの幅方向の断面は、屋根板面１ｂを底辺とし、その頂点が差込片１ｄ側によった薄い三角形に形成し、
ハ．それらの裏打材１ｌと裏面材１ｍとを切断して、長手方向の両端に切断面１ｎを形成し、
ニ．重継覆面１ｒの裏面の裏打材１ｌを無くしている。【００３１】Ｂ．図２０に示す、実施例３の唐草２と鼻覆２ｌは、
ａ．唐草２は、長尺の金属板５を成形して、
イ．ほぼ平坦な、唐草面２ａの一側端を裏面側に折り返し先端とし、他側端を裏面側に鈍角の小クランク状に折り曲げて、さらに表面側にＬ字形に折り曲げて、裏面側に折り返した、唐草爪２ｂを形成し、
ロ．その唐草爪２ｂを、鈍角的なクランク状に裏面側に折り曲げて、その先端を表面側に折り返した唐草固定片２ｃを形成し、
ハ．その唐草固定片２ｃの途中の裏面側に、次のような唐草台２ｉを複数貼り付けて、
ニ．その唐草台２ｉは合成樹脂板６ａを成形して、ほぼ矩形の台固定片２ｊを形成し、
ホ．その台固定片２ｊの短辺の一端を、裏面側にＬ字形に少し突起させて、台前面２ｋを形成し、
ヘ．唐草台２ｉの台固定片２ｊの表面を、唐草２の唐草固定片２ｃの裏面に、
ト．唐草台２ｉの台前面２ｋの表面を、唐草２の唐草面２ａの裏面に貼り付けて、
ｂ．また、鼻覆２ｌは、長尺の金属板５を成形して、
イ．ほぼ平坦な鼻前覆２ｎの一側端を、裏面側にＬ字形に折り曲げて、その先端を裏面側に折り返した鼻下覆２ｍを形成し、
ロ．その鼻前覆２ｎの他側端を、裏面側にＬ字形に折り曲げてその鼻下覆２ｍより延長し、その先端を表面側に折り返した鼻取付片２ｏを形成している。【００３２】Ｃ．図２１に示す、実施例３の防水紙３は、
ａ．防水紙３の表面に防水表面３ａと、その裏面の粘着面３ｂを形成している。
ｂ．ただし、粘着面３ｂは防水紙３の裏面であることを示し、粘着性能を有することが好ましいが、粘着性能が無くてもよい。【００３３】Ｄ．図１７，図２２，図２３，図２４，及び図２５に示す、実施例３の屋根４の施工は、既存屋根４ｉの改修であり、
ａ．その既存屋根４ｉは、一連の斜面の屋根下地４ｅの複数の垂木４ａの木口に鼻隠４ｂを取り付けてあり、
ｂ．その鼻隠４ｂと垂木４ａの先端部に乗せて、既存広小舞４ｋを取り付けて、
ｃ．その既存広小舞４ｋの先端の上方の角に、Ｌ字形の軒先水切４ｌを乗せて取り付けて、
ｄ．その軒先水切４１の先端から少し飛び出させて、繊維混入セメント板による既存葺材４ｊを互いに重複させて、複数施工されていて、
ｅ．その既存葺材４ｊの先端にその側端を合わせて乗せて、広小舞４ｄを取り付けて、
ｆ．その広小舞４ｄに接して野地板４ｃを既存葺材４ｊに乗せて取り付けて、
ｇ．その広小舞４ｄと既存葺材４ｊの先端とを、前記の鼻覆２ｌの鼻下覆２ｍと鼻前覆２ｎと鼻取付片２ｏとにより覆い、その鼻取付片２ｏを広小舞４ｄに釘打ち固定し、
ｈ．その鼻覆２ｌの鼻取付片２ｏとそれに続く野地板４ｃ上に、前記の防水紙３の粘着面３ｂを貼り付けて、
イ．その貼り付けた防水紙３の流れ方向の上方の側端に、他の防水紙３の側端を重ねて貼り付けて、
ロ．上記を繰り返して、その屋根４を形成する一連の斜面の鼻覆２ｌの鼻取付片２ｏとそれに続く野地板４ｃ上を、複数の防水紙３を貼り付けて覆い、
ｉ．その鼻覆２ｌの先端の上方の角に、前記の唐草２に貼り付けた唐草台２ｉの台前面２ｋと台固定片２ｊとの角を合わせて、
イ．その唐草台２ｉの台固定片２ｊを通して、唐草２の唐草固定片２ｃを広小舞４ｄに釘打ち固定し、
ｊ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇの屋根木摺脚１ｊを野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｋ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｌ．さらに、上記を以降の段に繰り返して、屋根４を形成する一連の斜面を屋根材１により覆い、
ｍ．上記の様にして施工された屋根材１の釘打片１ｇは、屋根木摺１ｈである屋根木摺脚１ｊにより、防水紙３から持ち上げられているため、
イ．防水紙３の防水表面３ａと、屋根材１の屋根木摺脚１ｊ以外の釘打片１ｇとの間の隙間による、木摺抜口４ｆと、
ロ．防水紙３の防水表面３ａと、屋根材１の裏打材１ｌとの間の隙間による、裏打隙間４ｈとを構成し、
ｎ．また、施工された唐草２は、唐草台２ｉを介して鼻覆２ｌの上に乗っていることにより、鼻覆２ｌと唐草２との間に隙間が形成され、唐草抜口４ｇを構成している。【００３４】Ｅ．前記の実施例３の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇが、屋根木摺１ｈである屋根木摺脚１ｊにより、防水紙３から持ち上げられているため、
ロ．防水紙３の防水表面３ａと、屋根材１の屋根木摺脚１ｊ以外の釘打片１ｇとの間の隙間による、木摺抜口４ｆを通じて、
ハ．後者の屋根材１の裏打材１ｌによる、裏打隙間４ｈの防水紙３の防水表面３ａに流れ込み、
ニ．以下の段にも同様に繰り返して、施工された唐草２の唐草固定片２ｃと鼻覆２ｌの鼻取付片２ｏとの隙間に流れ込み、
ホ．次に、その唐草２の唐草面２ａと鼻覆２ｌの鼻前覆２ｎとの隙間に流れ込み、唐草面２ａの裏面に伝わり、さらにその下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．施工された唐草２の唐草固定片２ｃを通って、
ロ．その唐草２の唐草固定片２ｃと鼻覆２ｌの鼻取付片２ｏとの隙間に流れ込み、
ハ．その唐草２の唐草面２ａと鼻覆２ｌの鼻前覆２ｎとの隙間に流れ込み、唐草面２ａの裏面に伝わり、さらにその下端から滴下して排出される。
【実施例４】
【００３５】  図２１，図２６，図２７，図２８，図２９，図３０，図３１，図３２，及び図３３は、この発明の実施例４を示すものである。【００３６】Ａ．図２７及び図２８に示す、実施例４においての屋根材１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ニ．その釘打片１ｇの途中に、次のような屋根木摺１ｈである屋根木摺板１ｉを複数貼り付けし、
ホ．その屋根木摺板１ｉは合成樹脂板６ａを成形して、ほぼ矩形の小さな矩形の板状に形成し、
ｄ．それに、屋根材１の長手方向の一端に、次のような遮水突条１ｐと被重継端１ｑとを持つ被重継面１ｏを形成し、
イ．屋根板面１ｂの前端面１ｃと嵌合溝１ｅ側に、表面材１ａをほぼ線状に表面側に突起させた互いに並行する複数の遮水突条１ｐを形成し、
ロ．その屋根板面１ｂを延長して、表面側に鋭角的に折り曲げて、嵌合溝１ｅ側の折り曲げを押しつぶした被重継端１ｑとを持つ被重継面１ｏを形成し、
ｅ．また、次のような重継覆面１ｒと重継水抜１ｓと重継覆端１ｔと重継覆鈎１ｕと重継中溝１ｖとを、屋根材１の長手方向の他端に形成し、
イ．その屋根板面１ｂと前端面１ｃとを、裏面側に鋭角的に折り曲げた重継覆端１ｔを持つ、重継覆面１ｒを形成し、
ロ．その前端面１ｃと差込片１ｄとを一部切り欠いて、重継水抜１ｓを形成し、
ハ．その差込片１ｄを切り欠いて残し、表面側に少し拡張した重継覆鈎１ｕを形成し、
ニ．その釘打片１ｇとそれに続く嵌合溝１ｅの外側を切り欠いて、裏面側に少し押しつぶした重継中溝１ｖを形成し、
ｆ．それと共に、成形した表面材１ａの裏面側に、
イ．前端面１ｃと屋根板面１ｂとの屈曲部から、嵌合溝１ｅ側の側端に亘る間を、裏面材１ｍにより覆った、発泡合成樹脂６による次のような裏打材１ｌを形成し、
ロ．その裏打材１ｌの幅方向の断面は、屋根板面１ｂを底辺とし、その頂点が差込片１ｄ側によった薄い三角形に形成し、
ハ．それらの裏打材１ｌと裏面材１ｍとを切断して、長手方向の両端に切断面１ｎを形成し、
ニ．重継覆面１ｒの裏面の裏打材１ｌを無くしている。【００３７】Ｂ．図２９に示す、実施例４の唐草２は、
ａ．その唐草２は、長尺の金属板５を成形して、
ｂ．一側端を裏面側に折り返し先端とした、ほぼ平坦な唐草面２ａの他側端を表側にＬ字形に折り曲げて、裏面側に折り返した、唐草爪２ｂを形成し、
ｃ．その唐草爪２ｂを、鈍角的なクランク状に裏面側に折り曲げて、その先端を表面側にナス型にふくらませて、折り返した唐草固定片２ｃを形成し、
イ．その唐草爪２ｂ側からの唐草固定片２ｃの表面側への屈曲部に、ほぼ円形で、その中心を置く小孔をあけた、取入口２ｄを多数形成し、
ｄ．その唐草固定片２ｃを折返して、また唐草固定片２ｃの裏面に接する、鼻覆２ｌの鼻取付片２ｏとして形成し、
ｅ．その鼻取付片２０をＬ字形に表面側に折り曲げて、鼻前覆２ｎを形成し、
ｆ．その鼻前覆２ｎをさらにくの字形に裏面側に折り曲げた、取入底２ｇを形成し、
ｇ．その取入底２ｇを鋭角的に表面側に折り曲げて、鼻取付片２ｏに平行でその先端を表面側に折り返した鼻下覆２ｍを形成し、
ｈ．その取入底２ｇと鼻前覆２ｎとの屈曲部と、前記の唐草面２ａとの間に隙間を形成して、排出口２ｈを構成している。【００３８】Ｃ．図２１に示す、実施例４においての防水紙３は、実施例３と同じものである。【００３９】Ｄ．図２６，図３０，図３１，図３２，及び図３３に示す、実施例４の屋根４の施工は、既存屋根４ｉの改修であり、
ａ．その既存屋根４ｉは、一連の斜面の屋根下地４ｅの複数の垂木４ａの木口に鼻隠４ｂを取り付けてあり、
ｂ．その鼻隠４ｂと垂木４ａの先端部に乗せて、既存広小舞４ｋを取り付けて、
ｃ．その既存広小舞４ｋの先端の上方の角に、Ｌ字形の軒先水切４ｌを乗せて取り付けて、
ｄ．その軒先水切４ｌの先端から少し飛び出させて、繊維混入セメント板による既存葺材４ｊを互いに重複させて、複数施工されていて、
ｅ．その既存葺材４ｊの先端にその側端を合わせて乗せて、広小舞４ｄを取り付けて、
ｆ．その広小舞４ｄに接して野地板４ｃを既存葺材４ｊに乗せて取り付けて、
ｇ．その広小舞４ｄと既存葺材４ｊの先端とを、前記の唐草２の鼻覆２ｌの鼻下覆２ｍと鼻前覆２ｎと鼻取付片２ｏとにより覆い、その唐草２の唐草固定片２ｃを広小舞４ｄに釘打ち固定し、
ｈ．その唐草２の唐草固定片２ｃとそれに続く野地板４ｃ上に、前記の防水紙３の粘着面３ｂを貼り付けて、
イ．その貼り付けた防水紙３の流れ方向の上方の側端に、他の防水紙３の側端を重ねて貼り付けて、
ロ．上記を繰り返して、その屋根４を形成する一連の斜面の唐草２の唐草固定片２ｃとそれに続く野地板４ｃ上を、複数の防水紙３を貼り付けて覆い、
ｉ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇを屋根木摺板１ｉを介して野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｋ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｌ．さらに、上記を以降の段に繰り返して、屋根４を形成する一連の斜面を屋根材１により覆い、
ｍ．上記の様にして施工された屋根材１の釘打片１ｇは、屋根木摺１ｈである屋根木摺板１ｉにより、防水紙３から持ち上げられているため、
イ．防水紙３の防水表面３ａと、屋根材１の屋根木摺板１ｉ以外の釘打片１ｇとの間の隙間による、木摺抜口４ｆと、
ロ．防水紙３の防水表面３ａと、屋根材１の裏打材１ｌとの間の隙間による、裏打隙間４ｈとを構成し、
ｎ．また、施工された唐草２には、
イ．唐草爪２ｂ側へ表面側に曲がる唐草固定片２ｃの屈曲部に形成した、取入口２ｄと、
ロ．取入底２ｇと鼻前覆２ｎとの屈曲部と、唐草面２ａとの間の隙間の、排出口２ｈとにより、唐草抜口４ｇを構成している。【００４０】Ｅ．前記の実施例４の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇが、屋根木摺１ｈである屋根木摺板１ｉにより、防水紙３から持ち上げられているため、
ロ．防水紙３の防水表面３ａと、屋根材１の屋根木摺板１ｉ以外の釘打片１ｇとの間の隙間による、木摺抜口４ｆを通じて、
ハ．後者の屋根材１の裏打材１ｌによる、裏打隙間４ｈの防水紙３の防水表面３ａに流れ込み、
ニ．以下の段にも同様に繰り返して、施工された唐草２の唐草固定片２ｃの上に流れ込み、
ホ．その唐草爪２ｂ側へ表面側に曲がる唐草固定片２ｃの屈曲部に形成した、取入口２ｄに流れ込み、
ヘ．次に、その唐草２の鼻覆２ｌの鼻前覆２ｎと取入底２ｇを伝わり、
ト．さらに、その排出口２ｈを通じて、唐草面２ａの裏面に伝わり、その下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．施工された唐草２の唐草固定片２ｃの上に流れ込み、
ロ．その唐草爪２ｂ側へ表面側に曲がる唐草固定片２ｃの屈曲部に形成した、取入口２ｄに流れ込み、
ハ．次に、その唐草２の鼻覆２ｌの鼻前覆２ｎと取入底２ｇを伝わり、
ニ．さらに、その排出口２ｈを通じて、唐草面２ａの裏面に伝わり、その下端から滴下して排出される。
【実施例５】
【００４１】  図２１，図３４，図３５，図３６，図３７，図３８，図３９，及び図４０は、この発明の実施例５を示すものである。【００４２】Ａ．図３５に示す、実施例５においての屋根材１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ニ．その釘打片１ｇの途中に、次のような屋根木摺１ｈである屋根木摺口１ｋを複数形成し、
ホ．その屋根木摺口１ｋは、次のように切欠いた形に形成し、
ヘ．その切欠いた形は、釘打片１ｇの側端に直角で、嵌合片１ｆ側から表面側への屈曲部において、半円形に折り返し、釘打片１ｇの側端に直角に戻る形状に形成し、
ｄ．それに、屋根材１の長手方向の一端に、次のような遮水突条１ｐと被重継端１ｑとを持つ被重継面１ｏを形成し、
イ．屋根板面１ｂの前端面１ｃと嵌合溝１ｅ側に、表面材１ａをほぼ線状に表面側に突起させた互いに並行する複数の遮水突条１ｐを形成し、
ロ．その屋根板面１ｂを延長して、表面側に鋭角的に折り曲げて、嵌合溝１ｅ側の折り曲げを押しつぶした被重継端１ｑとを持つ被重継面１ｏを形成し、
ｅ．また、次のような重継覆面１ｒと重継水抜１ｓと重継覆端１ｔと重継覆鈎１ｕと重継中溝１ｖとを、屋根材１の長手方向の他端に形成し、
イ．その屋根板面１ｂと前端面１ｃとを、裏面側に鋭角的に折り曲げた重継覆端１ｔを持つ、重継覆面１ｒを形成し、
ロ．その前端面１ｃと差込片１ｄとを一部切り欠いて、重継水抜１ｓを形成し、
ハ．その差込片１ｄを切り欠いて残し、表面側に少し拡張した重継覆鈎１ｕを形成し、
ニ．その釘打片１ｇとそれに続く嵌合溝１ｅの外側を切り欠いて、裏面側に少し押しつぶした重継中溝１ｖを形成し、
ｆ．それと共に、成形した表面材１ａの裏面側に、
イ．前端面１ｃと屋根板面１ｂとの屈曲部から、嵌合溝１ｅ側の側端に亘る間を、裏面材１ｍにより覆った、発泡合成樹脂６による次のような裏打材１ｌを形成し、
ロ．その裏打材１ｌの幅方向の断面は、屋根板面１ｂを底辺とし、その頂点が差込片１ｄ側によった薄い三角形に形成し、
ハ．それらの裏打材１ｌと裏面材１ｍとを切断して、長手方向の両端に切断面１ｎを形成し、
ニ．重継覆面１ｒの裏面の裏打材１ｌを無くしている。【００４３】Ｂ．図３６に示す、実施例５の唐草２と鼻覆２ｌは、
ａ．唐草２は、長尺の金属板５を成形して、
イ．ほぼ平坦な、唐草面２ａの一側端をを裏面側に折り返し先端とし、他側端を表面側に少し鈍角に折り曲げて、裏面側に折り返した、唐草爪２ｂを形成し、
ロ．その唐草爪２ｂを、鈍角的なクランク状に裏面側に折り曲げて、その先端を表面側に折り返した唐草固定片２ｃを形成し、
ハ．その唐草固定片２ｃの屈曲部において、次のように金属板５に切り込みを入れて、切起片２ｅと取入口２ｄとを複数形成して、
ニ．その切り込みは、表面側への屈曲部の唐草爪２ｂ側から、唐草固定片２ｃの先端側に、その唐草固定片２ｃの側端に対して直角に切り込み、さらに、その屈曲部を越えてから、コの字形に折返して、再度、屈曲部を越えて切り込み、その開始の位置と幅方向において同じ位置まで切り込みし、
ホ．その切り込みした内側の金属板５を、裏面側にＬ字形に折り曲げて、さらに、唐草固定片２ｃの延長面に合わせて、裏面側にくの字形に折り曲げて、そして、Ｌ字形に表面側に折り曲げた切起爪２ｆを持つ、切起片２ｅを形成し、
ヘ．その切起片２ｅを切り起こした、唐草固定片２ｃの孔により取入口２ｄを形成し、
ｂ．また、鼻覆２ｌは、長尺の金属板５を成形して、
イ．ほぼ平坦な鼻前覆２ｎの一側端を、裏面側にＬ字形に折り曲げて、その先端を裏面側に折り返した鼻下覆２ｍを形成し、
ロ．その鼻前覆２ｎの他側端を、裏面側にＬ字形に折り曲げてその鼻下覆２ｍより延長し、その先端を表面側に折り返した鼻取付片２ｏを形成している。【００４４】Ｃ．図２１に示す、実施例５においての防水紙３は、実施例３と同じものである。【００４５】Ｄ．図３４，図３７，図３８，図３９，及び図４０に示す、実施例５の屋根４の施工は、既存屋根４ｉの改修であり、
ａ．その既存屋根４ｉは、一連の斜面の屋根下地４ｅの複数の垂木４ａの木口に鼻隠４ｂを取り付けてあり、
ｂ．その鼻隠４ｂと垂木４ａの先端部に乗せて、既存広小舞４ｋを取り付けて、
ｃ．その既存広小舞４ｋの先端の上方の角に、Ｌ字形の軒先水切４１を乗せて取り付けて、
ｄ．その軒先水切４ｌの先端から少し飛び出させて、繊維混入セメント板による既存葺材４ｊを互いに重複させて、複数施工されていて、
ｅ．その既存葺材４ｊの先端にその側端を合わせて乗せて、広小舞４ｄを取り付けて、
ｆ．その広小舞４ｄに接して野地板４ｃを既存葺材４ｊに乗せて取り付けて、
ｇ．その広小舞４ｄと既存葺材４ｊの先端とを、前記の鼻覆２ｌの鼻下覆２ｍと鼻前覆２ｎと鼻取付片２ｏとにより覆い、その鼻取付片２ｏを広小舞４ｄに釘打ち固定し、
ｈ．その鼻覆２ｌの先端の上方の角に、前記の唐草２の切起片２ｅと切起爪２ｆとの角を合わせて、
イ．その唐草２の唐草固定片２ｃを広小舞４ｄに釘打ち固定し、
ｉ．その唐草２の唐草固定片２ｃと、鼻覆２ｌの鼻取付片２ｏとそれに続く野地板４ｃ上に、前記の防水紙３の粘着面３ｂを貼り付けて、
イ．その貼り付けた防水紙３の流れ方向の上方の側端に、他の防水紙３の側端を重ねて貼り付けて、
ロ．上記を繰り返して、その屋根４を形成する一連の斜面の鼻覆２ｌの鼻取付片２ｏとそれに続く野地板４ｃ上を、複数の防水紙３を貼り付けて覆い、
ｊ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇを野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｋ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｌ．さらに、上記を以降の段に繰り返して、屋根４を形成する一連の斜面を屋根材１により覆い、
ｍ．上記の様にして施工された屋根材１の釘打片１ｇの屋根木摺口１ｋによる、木摺抜口４ｆと、
イ．防水紙３の防水表面３ａと、屋根材１の裏打材１ｌとの間の隙間による、裏打隙間４ｈとを構成し、
ｎ．また、施工された唐草２の、取入口２ｄと、鼻覆２ｌと唐草２との間の隙間が形成されて、排出口２ｈを形成されて、唐草抜口４ｇを構成している。【００４６】Ｅ．前記の実施例５の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇの屋根木摺口１ｋによる、屋根木摺１ｈである木摺抜口４ｆを通じて、
ロ．後者の屋根材１の裏打材１ｌによる、裏打隙間４ｈの防水紙３の防水表面３ａに流れ込み、
【図３３】
屋根の施工状態を示す一部省略斜視図（実施例４）
【図３４】
屋根の施工状態を示す一部省略説明図（実施例５）
【図３５】
屋根材の表側を示す一部省略斜視図（実施例５）
【図３６】
唐草を示す一部省略斜視図（実施例５）
【図３７】
屋根の施工状態を示す一部省略斜視図（実施例５）
【図３８】
屋根の施工状態を示す一部省略斜視図（実施例５）
【図３９】
屋根の施工状態を示す一部省略斜視図（実施例５）
【図４０】
屋根の施工状態を示す一部省略斜視図（実施例５）
【符号の説明】
【００４８】          １  屋根材
２  唐草
３  防水紙
４  屋根
５  金属板
６  合成樹脂
【図１】
2010095985.tif 000003
【図２】
2010095985.tif 000004
【図３】
2010095985.tif 000005
【図４】
2010095985.tif 000006
【図５】
2010095985.tif 000007
【図６】
2010095985.tif 000008
【図７】
2010095985.tif 000009
【図８】
2010095985.tif 000010
【図９】
2010095985.tif 000011
【図１０】
2010095985.tif 000012
【図１１】
2010095985.tif 000013
【図１２】
2010095985.tif 000014
【図１３】
2010095985.tif 000015
【図１４】
2010095985.tif 000016
【図１５】
2010095985.tif 000017
【図１６】
2010095985.tif 000018
【図１７】
2010095985.tif 000019
【図１８】
2010095985.tif 000020
【図１９】
2010095985.tif 000021
【図２０】
2010095985.tif 000022
【図２１】
2010095985.tif 000023
【図２２】
2010095985.tif 000024
【図２３】
2010095985.tif 000025
【図２４】
2010095985.tif 000026
【図２５】
2010095985.tif 000027
【図２６】
2010095985.tif 000028
【図２７】
2010095985.tif 000029
【図２８】
2010095985.tif 000030
【図２９】
2010095985.tif 000031
【図３０】
2010095985.tif 000032
【図３１】
2010095985.tif 000033
【図３２】
2010095985.tif 000034
【図３３】
2010095985.tif 000035
【図３４】
2010095985.tif 000036
【図３５】
2010095985.tif 000037
【図３６】
2010095985.tif 000038
【図３７】
2010095985.tif 000039
【図３８】
2010095985.tif 000040
【図３９】
2010095985.tif 000041
【図４０】
2010095985.tif 000042
【手続補正書】
【提出日】平成20年12月26日(2008.12.26)
【手続補正１】
【補正対象書類名】明細書
【補正対象項目名】全文
【補正方法】変更
【補正の内容】
【発明の詳細な説明】
【技術分野】
【０００１】
この発明は、屋根材の施工開始用の唐草材を施工し、横葺の長尺屋根材の釘打片を屋根下地の防水紙の上に釘打ち固定して施工する、横葺の屋根構造において、屋根材の接続部から侵入した雨水や、屋根材の裏面において結露した結露水等の、屋根材の裏側に侵入した雨水等を下側に流して屋根構造外に排出して、屋根構造内部においての水溜まりを解消する屋根構造に関する。
【背景技術】
【０００２】
従来、屋根材の裏側に侵入した雨水等を軒側へ流す屋根構造の技術には、波板形ルーフィングの上に屋根材を配置する、屋根葺き構造がある。
（例えば、特許文献１参照）。
【特許文献１】特開２００２−２９４９４２号公報
【発明の開示】
【発明が解決しようとする課題】
【０００３】
Ａ．屋根材の施工開始用の唐草材を施工し、横葺の長尺屋根材の釘打片を屋根下地の防水紙の上に釘打ち固定して施工する、横葺の屋根構造において、
ａ．屋根材の接続部から侵入した雨水や、屋根材の裏面において結露した結露水等の、屋根材の裏側に侵入した雨水等は、
ｂ．防水紙の上に施工された釘打片によりせき止められて水溜まりを形成し、また、唐草材でもせき止められて水溜まりを形成していた、
ｃ．それらの水溜まりは、長期に形成される場合、
イ．屋根材の釘孔や防水紙の留め付け用のタッカー針の孔からしみ出して雨漏れになり、
ロ．屋根下地や屋根材等を腐食させていた、
Ｂ．そのため屋根材の裏側に侵入した雨水等を軒側へ流す技術が要求されるが、
ａ．従来の、波板形ルーフィングの上に屋根材を配置する、屋根葺き構造では、
イ．単に波板形のベース紙によるルーフィングだけでは強度的に弱く、
ロ．そのためベース紙に裏打ち紙を貼り付けて、ベース紙の各溝どうしのピッチは裏打ち紙によって保持されるので、
ハ．厚み方向から大きな圧力が加えられても波板形状が簡単に潰れることは無い、
ニ．として、少なくとも普通の大人が乗ったぐらいではその溝が簡単に潰れることは無い、とのことだが、
ｂ．たとえば釘の上に普通の大人が乗ることにより、その釘を合板に打ち込むことは不可能であるように、
イ．釘打ちには大人が乗ったぐらい以上の瞬間的に強大な圧力が加わるため、
ロ．それらの溝が潰れて溝を塞ぎ水溜まりとなる問題があり、
ｃ．また、そのピッチを小さくして各溝の高さを低くすると、強度的には向上するが、
イ．下方のルーフィングと上方のルーフィングとの重ねの部分の溝に、毛管現象による水が溜まり、
ロ．風力の変動や、それによる屋根材の脈動によって、屋根葺き構造内部の圧力が変動して、
ハ．その溜まった水が屋根下地に押し出されて、雨漏りとなる問題があり、
ｄ．そのためにアスファルトルーフィングにより雨漏り解消した上に波板形ルーフィングを貼る必要があり、
イ．施工手間がかかりコストアップとなる問題があった。
【課題を解決するための手段】
【０００４】
この発明は、横葺の長尺屋根材の一側端に前端面と差込片とを形成し、他の屋根材の差込片が差し込まれる嵌合溝と釘打片とを他側端に形成し、その釘打片を防水紙を張った屋根下地に釘打ち固定する屋根材と、ほぼ平坦な唐草面と唐草爪とを形成した唐草を屋根下地に釘打ち固定し、前記の屋根材の差込片を、その唐草面と唐草爪との間に差し込む、横葺の屋根構造において、毛管現象による雨漏りを解消するため下方の防水紙と上方の防水紙とを隙間無く重ねてつなげた防水紙の上に施工する、屋根材の裏側に侵入した雨水等を、長尺屋根材の釘打片の上方の雨水等を下方に流す木摺抜口か、唐草の上方の雨水等を下方に流して屋根構造外に排出する唐草抜口の、雨水等を下方に流す少なくとも一種類の手段による、雨水等を下方に流して屋根構造外に排出する、防水紙の表面においての水溜まりを解消する屋根構造とする。
【発明の効果】
【０００５】
この発明による水溜まり解消屋根構造と防水紙と唐草材および屋根材には、次のような効果がある。
【０００６】
Ａ．下方の防水紙と上方の防水紙とを隙間無く重ねてつなげた防水紙の上に施工する、屋根材の裏側に侵入した雨水等を、長尺屋根材の釘打片の上方の雨水等を下方に流す木摺抜口を形成した水溜まり解消屋根構造とすることにより、
ａ．下方の防水紙と上方の防水紙とを隙間無く重ねてつなげたために、その隙間に毛管現象により雨水が溜まり、風力の変動によって屋根材が脈動して屋根構造内部の圧力が変動して、その溜まった水が屋根下地に押し出されることによる、雨漏りを解消可能となり、ｂ．また、木摺抜口を形成するために、防水紙によって最適に雨漏りを解消して、木摺抜口により長尺屋根材の釘打片の上方の雨水等を下方に流すことが可能となり、
ｃ．そのことにより、毛管現象による雨漏れを解消しながら、屋根材の裏側に侵入した雨水等の釘打片によるせき止めによる、雨水等の水溜まりをすぐに下方に流して、水溜まりが長期に亘って形成されることをなくし、
イ．屋根材の釘孔や防水紙の留め付け用のタッカー針の孔からしみ出すことによる雨漏れを防ぐとともに、
ロ．屋根下地や屋根材等の腐食を防げる。
【０００７】
Ｂ．唐草の上方の雨水等を下方に流して屋根構造外に排出する唐草抜口を形成した水溜まり解消屋根構造とすることにより、
ａ．屋根材の裏側に侵入した雨水等や、施工された唐草と屋根材との隙間から風圧により押されて流れ込む雨水等を、唐草抜口により唐草の下方に流して屋根構造外に排出可能となり、
ｂ．そのことにより、屋根材の裏側に侵入した雨水等の唐草によるせき止めによる、雨水等の水溜まりをすぐに下方に流して、水溜まりが長期に亘って形成されることをなくし、
イ．屋根材や唐草の釘孔や防水紙の留め付け用のタッカー針の孔からしみ出すことによる雨漏れを防ぐとともに、
ロ．屋根下地や屋根材や唐草等の腐食を防げる。
【０００８】
Ｃ．下方の防水紙と上方の防水紙とを隙間無く重ねてつなげた防水紙の上に施工する、屋根材の裏側に侵入した雨水等を、長尺屋根材の釘打片の上方の雨水等を下方に流す木摺抜口と、屋根材と防水紙の間に雨水等を下方に流す裏打隙間と、唐草の上方の雨水等を下方に流して屋根構造外に排出する唐草抜口とを形成した水溜まり解消屋根構造とすることにより、
ａ．長尺屋根材の釘打片の上方の雨水等を下方に流す木摺抜口により、屋根材と防水紙の間の裏打隙間に雨水等を流し込み、さらに、その裏打隙間を通じて下方の屋根材の釘打片の上方に雨水等を流し、
ｂ．上記を繰り返して、唐草の上方に雨水等を流し込まれ、さらに唐草抜口を通じて下方に流されて屋根構造外に排出可能となり、
ｃ．屋根を形成する一連の斜面の屋根材の裏側に侵入した雨水等を、その下方の唐草抜口を通じて下方に流されて屋根構造外に排出可能となり、
ｄ．屋根全体の水溜まり解消屋根構造を実現可能となり、
イ．屋根全体の屋根材の釘孔や防水紙の留め付け用のタッカー針の孔からしみ出すことによる雨漏れを防ぐとともに、
ロ．屋根全体の屋根下地や屋根材等の腐食を防げる。
【０００９】
Ｄ．防水紙を折り畳んだ防水木摺折による防水木摺か、長尺の防水木摺台を貼り付けることによる防水木摺の、少なくとも一種類の防水木摺による木摺抜口を形成する防水紙とすることにより、
ａ．防水木摺を形成した防水紙としたために、屋根材をその上に施工すると、屋根下地に直接張られた防水紙より突起した防水木摺の上に、屋根材とその釘打片が施工され、
イ．屋根下地に直接張られた防水紙の表面と釘打片との間の隙間による木摺抜口が容易に形成されて、
ロ．屋根下地に直接張られた防水紙の表面と屋根材との間の隙間による裏打隙間が容易に形成されて、
ハ．従来の屋根下地に施工する屋根材を変更無く、木摺抜口と裏打隙間とが形成可能となり、
ｂ．防水紙を折り畳んだ防水木摺折による防水木摺を形成した防水紙とすることにより、
イ．製造材料が防水紙であり、しかも一部を折り畳み加工することによる生産が可能であり、連続生産が容易になり、低コストになり、
ロ．防水紙を折り畳んだ防水木摺折となり、厚み方向からの大きな圧力にも潰れずに、釘打片の釘打ちによっても、木摺抜口が塞がることはなく、
ハ．下方の防水紙の上に上方の防水紙を重ねて被せる時、約防水木摺折の高さの２倍分だけ長さがよけい必要となるが、重ねる部分の折返しをその分戻す事により、防水紙どうしを隙間無く重ねて施工することが可能となり、防水木摺折どうしのピッチを一定にすることが可能となり、
ｃ．長尺の防水木摺台を貼り付けることによる防水木摺を形成する防水紙とすることにより、
イ．防水木摺台の高さを任意に選択可能となり、最適な隙間の木摺抜口と裏打隙間とが形成可能となり、
ロ．この様な屋根材を施工した時に施工者が屋根材の上に乗った時に、その荷重を屋根下地に屋根材が接触するまでのたわみにより受け止めることになるが、前記の隙間が大き過ぎると、復元不可能な歪みが屋根材に加わる場合があるが、施工者が屋根材の上に乗った時に復元可能な隙間で、良好な水溜まり解消性能となる隙間が選択可能となり、
ハ．屋根材の耐荷重性能と水溜まり解消性能との選択の自由度が向上し、
ニ．また、防水木摺台の長さを、防水紙の幅より短くして、防水木摺台を貼り付けてない防水重覆縁を形成することを可能とし、
ホ．下方の防水紙と上方の防水紙とを隙間無く重ねてつなげることを容易に可能として、ヘ．施工性が向上する。
【００１０】
Ｅ．唐草の上方の雨水等を流し込む取入口と、さらに、流し込まれた雨水等を下方に流して屋根構造外に排出する排出口とをそれぞれ形成したことによる唐草抜口か、唐草を唐草台を挟んで屋根下地に施工されることによる唐草と屋根下地との間に隙間を形成したことによる唐草抜口かの、少なくとも一種類の唐草抜口を形成した唐草材とすることにより、
ａ．唐草抜口を形成した唐草材としたために、唐草材を施工方法に従って施工すると唐草抜口が確保されて、
イ．唐草の上方の雨水等を流し込み下方に流して屋根構造外に排出する唐草抜口が容易に形成されて、
ロ．唐草周辺の水溜まり解消屋根構造が容易に実現し、
ｂ．取入口と排出口とをそれぞれ形成した唐草抜口とすることにより、
イ．唐草抜口は屋根構造外から屋根材の裏側に通じているため、風圧力により雨水等が押し上げられる可能性があるが、取入口か排出口のどちらか一方かその両方を狭くすることが可能となり、
ロ．狭い取入口か排出口による風圧力が、広い屋根構造内部に伝わり、風圧力を小さくすることが可能になり、風圧力による雨水等の押し上げが防止され、風圧力が強い時でも水溜まり解消性能が確保可能になり、
ハ．押出型材で成型した取入口と排出口とを唐草面の裏側に形成することにより、
ニ．唐草抜口が押出型材により確保されて、唐草と屋根材との隙間から風圧により押されて流れ込む雨水等を直ちに取入口に流し込む事が確実に可能となり、
ホ．唐草固定片にあけた小孔の取入口と、唐草面の下部に沿った隙間による排出口と、その間に比較的大きな空間を形成することにより、
ヘ．狭い排出口からの風圧力が、取入口と排出口間の比較的大きな空間により減衰されて、さらに、小孔の取入口により減衰されて、広い屋根構造内部に伝わり、さらに風圧力を小さくすることが可能になり、
ト．唐草固定片にあけた取入口と位置決めをする切起片を形成することにより、
チ．唐草と屋根下地との間に一定の隙間による狭い排出口を形成可能となり、唐草の成型が小幅の金属板から成形可能となり、低コストとなり、
ｃ．唐草を唐草台を挟んで屋根下地に施工されることにより、唐草と屋根下地との間に隙間を形成したことによる唐草抜口とすることにより、
イ．唐草台を挟んで屋根下地に施工する事により容易に唐草抜口を形成可能となり、
ロ．唐草台を屋根下地に施工後に、唐草を施工することにより、
ハ．唐草台が小部品となり製造が容易になり、低コストとなり、
ニ．唐草台を取り付けた唐草とすることにより、
ホ．施工手間が低下し、施工性が向上する。
【００１１】
Ｆ．屋根材の釘打片の途中に、釘打片の一部を裏面側に突起させた屋根木摺脚による屋根木摺か、小さな板状に形成した屋根木摺板を貼り付けることによる屋根木摺か、釘打片の一部を切り欠いた屋根木摺口による屋根木摺かの、少なくとも一種類の屋根木摺を複数形成した木摺抜口を形成した屋根材とすることにより、
ａ．屋根木摺を複数形成した屋根材としたために、防水紙の上に施工することにより木摺抜口が確保されて、
イ．釘打片の上方の雨水等を下方に流す木摺抜口が容易に形成されて、
ロ．屋根材の釘打片周辺の水溜まり解消屋根構造が容易に実現し、
ｂ．屋根材の釘打片の途中に、釘打片の一部を裏面側に突起させた屋根木摺脚による屋根木摺を複数形成した木摺抜口を形成した屋根材とすることにより、
イ．屋根材と屋根木摺脚が一体となっているため、
ロ．輸送時の荷ずれや施工時切断による屋根木摺の剥がれ等が無くなり、施工性が向上し、
ハ．プレス等による加工により成形可能であるため、生産ラインに組み込むことが容易となり、低コストとなり、
ニ．また、あらたな材料を要しないため、低コストとなり、
ｃ．小さな板状に形成した屋根木摺板を貼り付けることによる屋根木摺を複数形成した木摺抜口を形成した屋根材とすることにより、
イ．屋根材と別の素材の屋根木摺板とすることが可能になり、
ロ．屋根木摺板を断熱性能の高い合成樹脂製とすることが可能となり、
ハ．屋根構造の断熱性能が向上し、
ニ．雨水等により濡れる可能性のある防水紙の表面に、耐食性の有る合成樹脂製等の屋根木摺板を施工し、金属板による屋根材の釘打片を防水紙から離すために、屋根材の耐食性が向上し、
ｄ．釘打片の一部を切り欠いた屋根木摺口による屋根木摺を複数形成した木摺抜口を形成した屋根材とすることにより、
イ．屋根材と屋根木摺口が一体となっているため、
ロ．輸送時の荷ずれや施工時切断による屋根木摺の剥がれ等が無くなり、施工性が向上し、
ハ．プレス等による加工により成形可能であるため、生産ラインに組み込むことが容易となり、低コストとなり、
ニ．また、あらたな材料を要しないため、低コストとなる。
【００１２】
Ｇ．既存屋根の改修において、既存葺材の先端を覆う鼻覆により覆い、唐草の上方の雨水等を下方に流して屋根構造外に排出する唐草抜口を形成した水溜まり解消屋根構造とすることにより、
ａ．既存葺材を鼻覆により覆うことにより、既存屋根の屋根葺材の地震等によるずれや風化等による部分剥落等による先端部の凹凸があっても、唐草と鼻覆との間に一定の隙間を形成可能となり、
イ．その唐草と鼻覆との間の一定の隙間による排出口が形成可能となり、
ロ．唐草抜口を形成した水溜まり解消屋根構造が容易に形成され、
ｂ．唐草と鼻隠を一体として成形する、鼻隠とすることにより、
イ．取入口と排出口とが確保されて、鼻隠と一体の唐草を施工することにより唐草抜口を既存屋根の改修において、容易に水溜まり解消屋根構造とするこが可能となり、
ｃ．排出口の上方の隙間を、排出口の隙間よりひろく形成することにより、
イ．狭い排出口からの風圧力が、排出口の上方の比較的大きな空間により減衰されて、風圧力を小さくすることが可能になる。
【発明を実施するための最良の形態】
【００１３】
Ａ．この発明による金属板と押出型材は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
へ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等
ｆ．次に代表される押出型材
イ．アルミニウム押出型材
ロ．塗装アルミニウム押出型材
ハ．金属複合合成樹脂押出型材等を使用する。
【００１４】
Ｂ．この発明に使用される屋根材や部材の釘打ち固定には、
ａ．次に代表される、固定具を使用し、
イ．セルフドリリングタッピングビス
ロ．釘
ハ．タッカー針
ニ．木ネジ
ホ．コースレッド等
ｂ．また、ネジは、
イ．セルフドリリングタッピングビス
ロ．木ネジ
ハ．コースレッド等を使用する。
【００１５】
Ｃ．この発明に使用される発泡合成樹脂と裏面材と合成樹脂板と防水紙等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とすることも可能である。
ｂ．この発明の合成樹脂板には、
イ．合成樹脂板
ロ．低発泡の発泡合成樹脂
ハ．木材・合板等が使用され、
ｃ．この発明の防水紙には、
イ．ゴムアスファルトルーフィング
ロ．アスファルトルーフィング
ハ．アスファルトフェルト
ニ．ブチルゴム系防水シート
ホ．シート防水材
ヘ．アクリル系防水シート等が使用される。
【００１６】
発明の実施例について、次の、実施例１、実施例２、実施例３、実施例４、及び実施例５により、図面を参照して説明する。
【実施例１】
【００１７】
図１，図２，図３，図４，図５，図６，図７，図８，及び図９は、この発明の実施例１を示すものである。
【００１８】
Ａ．図２及び図３に示す、実施例１においての屋根材１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ｄ．それに、屋根材１の長手方向の一端に、次のような遮水突条１ｐと被重継端１ｑとを持つ被重継面１ｏを形成し、
イ．屋根板面１ｂの前端面１ｃと嵌合溝１ｅ側に、表面材１ａをほぼ線状に表面側に突起させた互いに並行する複数の遮水突条１ｐを形成し、
ロ．その屋根板面１ｂを延長して、表面側に鋭角的に折り曲げて、嵌合溝１ｅ側の折り曲げを押しつぶした被重継端１ｑとを持つ被重継面１ｏを形成し、
ｅ．また、次のような重継覆面１ｒと重継水抜１ｓと重継覆端１ｔと重継覆鈎１ｕと重継中溝１ｖとを、屋根材１の長手方向の他端に形成し、
イ．その屋根板面１ｂと前端面１ｃとを、裏面側に鋭角的に折り曲げた重継覆端１ｔを持つ、重継覆面１ｒを形成し、
ロ．その前端面１ｃと差込片１ｄとを一部切り欠いて、重継水抜１ｓを形成し、
ハ．その差込片１ｄを切り欠いて残し、表面側に少し拡張した重継覆鈎１ｕを形成し、
ニ．その釘打片１ｇとそれに続く嵌合溝１ｅの外側を切り欠いて、裏面側に少し押しつぶした重継中溝１ｖを形成し、
ｆ．それと共に、成形した表面材１ａの裏面側に、
イ．前端面１ｃと屋根板面１ｂとの屈曲部から、嵌合溝１ｅ側の側端に亘る間を、裏面材１ｍにより覆った、発泡合成樹脂６による次のような裏打材１ｌを形成し、
ロ．その裏打材１ｌの幅方向の断面は、屋根板面１ｂを底辺とし、その頂点が差込片１ｄ側によった薄い三角形に形成し、
ハ．それらの裏打材１ｌと裏面材１ｍとを切断して、長手方向の両端に切断面１ｎを形成し、
ニ．重継覆面１ｒの裏面の裏打材１ｌを無くしている。
【００１９】
Ｂ．図４に示す、実施例１の唐草２は、押し出しによる長尺の押出型材５ａを次のように成形して、
ａ．ほぼ平坦な、唐草面２ａの一側端を表面側にＬ字形に折り曲げて、唐草爪２ｂを形成し、
ｂ．その唐草面２ａの裏面の中程から、唐草爪２ｂ側の唐草面２ａに対して、裏面側に鋭角に分岐して取入底２ｇを形成し、
イ．その取入底２ｇに、複数個の次のような排出口２ｈを形成し、
ロ．その排出口２ｈは、唐草面２ａから取入底２ｇへの屈曲部に開口するＵ字型に、押出型材５ａを切り抜いて形成し、
ｃ．前記の取入底２ｇを表面側にくの字形に折り曲げて、取入口２ｄを形成し、
ｄ．その取入口２ｄを裏面側にＬ字形に折り曲げて、唐草固定片２ｃを形成している。
【００２０】
Ｃ．図５に示す、実施例１の防水紙３は、
ａ．ほぼ平坦な、防水表面３ａに次のような防水木摺３ｃを複数形成し、
イ．その防水木摺３ｃは、防水紙３をその側端に直角に表面側に折り返して、
ロ．更に裏面側に折り返して、前記の防水紙３の折返しにそってクランク状に裏面側に折れ曲がって、折り畳まれた防水木摺折３ｄによりなり、
ハ．その防水木摺折３ｄの幅は細くて、その防水木摺折３ｄの中心線間の距離は屋根下地４ｅの垂木４ａの中心線間の距離に合わせてあり、
ｂ．防水紙３の裏面には、屋根下地４ｅの野地板４ｃ等に粘着する、粘着面３ｂを形成している。
【００２１】
Ｄ．図１，図６，図７，図８，及び図９に示す、実施例１の屋根４の施工は、
ａ．一連の斜面の屋根下地４ｅの複数の垂木４ａの木口に鼻隠４ｂを取り付けてあり、
ｂ．その鼻隠４ｂと垂木４ａの先端部に乗せて、広小舞４ｄを取り付けて、
ｃ．その広小舞４ｄに接して野地板４ｃを垂木４ａに乗せて取り付けて、
イ．さらに、その取り付けた野地板４ｃに接して、他の野地板４ｃを複数取り付け、
ロ．その屋根４を形成する一連の斜面の垂木４ａを、複数の野地板４ｃにより取り付けて覆い、
ｄ．その広小舞４ｄの先端の上方の角に、前記の唐草２の唐草固定片２ｃと取入口２ｄとの角を合わせて、その唐草固定片２ｃを広小舞４ｄに釘打ち固定し、
ｅ．その唐草２の唐草固定片２ｃとそれに続く野地板４ｃ上に、防水紙３の防水木摺折３ｄの側端を垂木４ａの中心線付近に合わせて、その防水紙３の粘着面３ｂを貼り付けて、
イ．その貼り付けた防水紙３の流れ方向の上方の側端に、他の防水紙３の側端を重ねて、後者の防水紙３の防水木摺折３ｄを、前者の防水紙３の防水木摺折３ｄの位置しない垂木４ａの上方の位置に貼り付けて、
ロ．上記を繰り返して、その屋根４を形成する一連の斜面の唐草２の唐草固定片２ｃとそれに続く野地板４ｃ上を、複数の防水紙３を貼り付けて覆い、
ｆ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇを野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｇ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｈ．さらに、上記を以降の段に繰り返して、屋根４を形成する一連の斜面を屋根材１により覆い、
ｉ．上記の様にして施工された屋根材１の釘打片１ｇは、防水紙３の防水木摺３ｃである防水木摺折３ｄの上に乗っているため、
イ．防水木摺折３ｄ以外の防水表面３ａと屋根材１の釘打片１ｇとの間の隙間による、木摺抜口４ｆと、
ロ．防水木摺折３ｄ以外の防水表面３ａと屋根材１の裏打材１ｌとの間の隙間による、裏打隙間４ｈとを構成し、
ｊ．また、施工された唐草２の取入口２ｄと排出口２ｈとにより、唐草抜口４ｇを構成している。
【００２２】
Ｅ．前記の実施例１の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇが、防水紙３の防水木摺３ｃである防水木摺折３ｄの上に乗っているために形成される、
ロ．防水木摺折３ｄ以外の防水表面３ａと屋根材１の釘打片１ｇとの間の隙間による、木摺抜口４ｆを通じて、
ハ．後者の屋根材１の裏打材１ｌによる、裏打隙間４ｈの防水紙３の防水表面３ａに流れ込み、
ニ．以下の段にも同様に繰り返して、施工された唐草２の取入口２ｄに流れ込み、その排出口２ｈより、唐草面２ａの裏面に伝わり、さらにその下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．唐草２の取入口２ｄに流れ込み、その排出口２ｈより、唐草面２ａの裏面に伝わり、さらにその下端から滴下して排出される。
【実施例２】
【００２３】
図２，図３，図１０，図１１，図１２，図１３，図１４，図１５，及び図１６は、この発明の実施例２を示すものである。
【００２４】
Ａ．図２及び図３に示す、実施例２においての屋根材１は、実施例１と同じものである。
【００２５】
Ｂ．図１１に示す、実施例２の唐草２と唐草台２ｉは、
ａ．唐草２は、長尺の金属板５を成形して、
イ．ほぼ平坦な、唐草面２ａの一側端を裏面側に折り返し先端とし、他側端を表面側にＬ字形に折り曲げて、裏面側に折り返した、唐草爪２ｂを形成し、
ロ．その唐草爪２ｂを、鈍角的なクランク状に裏面側に折り曲げて、その先端を表面側に折り返した唐草固定片２ｃを形成し、
ｂ．また、唐草台２ｉは、矩形の金属板５を成形して、
イ．矩形の短辺側の断面形状が、ほぼ平坦な辺の両側を、鈍角のクランク状に裏面側に折り曲げて、
ロ．その両側の中心より偏った位置で、両側からクランクの傾斜部までに切り込みを入れて、その切り込みの間を裏面側に、Ｌ字形に折り曲げて、長さの短い台前面２ｋと、長さの長い台固定片２ｊとを形成している。
【００２６】
Ｃ．図１２に示す、実施例２の防水紙３は、
ａ．防水紙３の表面に防水表面３ａと、その裏面の粘着面３ｂを形成し、
ｂ．その粘着面３ｂに次のような防水木摺台３ｅを複数貼り付けて、防水木摺３ｃを構成し、
イ．その防水木摺台３ｅは、長尺の金属板５を成形して、幅方向の断面形状をほぼ平坦な辺の両側を、鈍角のクランク状に裏面側に折り曲げてあり、
ロ．防水木摺台３ｅの長さは、防水紙３の幅より短く、
ハ．防水木摺台３ｅを、防水紙３の片方の縁に寄せて、その縁に対して直角に、その表面を貼り付けてあり、
ニ．防水木摺台３ｅの貼り付けてない側に、防水紙３は防水重覆縁３ｆを形成している。
【００２７】
Ｄ．図１０，図１３，図１４，図１５，及び図１６に示す、実施例２の屋根４の施工は、
ａ．一連の斜面の屋根下地４ｅの複数の垂木４ａの木口に鼻隠４ｂを取り付けてあり、
ｂ．その鼻隠４ｂと垂木４ａの先端部に乗せて、広小舞４ｄを取り付けて、
ｃ．その広小舞４ｄに接して野地板４ｃを垂木４ａに乗せて取り付けて、
イ．さらに、その取り付けた野地板４ｃに接して、他の野地板４ｃを複数取り付け、
ロ．その屋根４を形成する一連の斜面の垂木４ａを、複数の野地板４ｃにより取り付けて覆い、
ｄ．その広小舞４ｄの先端の上方の角から前面に向けて、前記の防水紙３の防水重覆縁３ｆを折り曲げて、また、防水紙３の防水木摺台３ｅの中心を垂木４ａの中心線付近に合わせて、その防水紙３の粘着面３ｂを貼り付け、
イ．その貼り付けた防水紙３の流れ方向の上方の側端に、他の防水紙３の防水重覆縁３ｆを重ねて貼り付けて、
ロ．上記を繰り返して、その屋根４を形成する一連の斜面の広小舞４ｄとそれに続く野地板４ｃ上を、複数の防水紙３を貼り付けて覆い、
ｅ．その広小舞４ｄの防水重覆縁３ｆの先端の上方の角に、唐草台２ｉの台前面２ｋと台固定片２ｊとの角を合わせて、
イ．また、その中心を、防水紙３の防水木摺台３ｅの中心線付近に合わせて、その台固定片２ｊを広小舞４ｄに釘打ち複数固定し、
ｆ．そして、固定された唐草台２ｉの台前面２ｋと台固定片２ｊとの角に、前記の唐草２の唐草固定片２ｃの延長面と唐草面２ａとの角を合わせて、その唐草固定片２ｃを広小舞４ｄに釘打ち固定し、
ｇ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇを野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｇ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｈ．さらに、上記を以降の段に繰り返して、屋根４を形成する一連の斜面を屋根材１により覆い、
ｉ．上記の様にして施工された屋根材１の釘打片１ｇは、防水紙３の防水木摺３ｃである防水木摺台３ｅに持ち上げられた防水紙３の上に乗っているため、
イ．防水木摺３ｃ以外の防水表面３ａと屋根材１の釘打片１ｇとの間の隙間による、木摺抜口４ｆと、
ロ．防水木摺３ｃ以外の防水表面３ａと屋根材１の裏打材１ｌとの間の隙間による、裏打隙間４ｈとを構成し、
ｊ．また、施工された唐草２は、唐草台２ｉを介して防水紙３の上に乗っていることにより、防水紙３と唐草２との間に隙間が形成され、唐草抜口４ｇを構成している。
【００２８】
Ｅ．前記の実施例２の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇが、防水紙３の防水木摺３ｃである防水木摺台３ｅに持ち上げられた防水紙３の上に乗っているために形成される、
ロ．防水木摺３ｃ以外の防水表面３ａと屋根材１の釘打片１ｇとの間の隙間による、木摺抜口４ｆを通じて、
ハ．後者の屋根材１の裏打材１ｌによる、裏打隙間４ｈの防水紙３の防水表面３ａに流れ込み、
ニ．以下の段にも同様に繰り返して、施工された唐草２の唐草固定片２ｃと防水紙３の防水表面３ａに流れ込み、
ホ．次に、その唐草２の唐草面２ａと防水紙３の防水表面３ａに流れ込み、唐草面２ａの裏面に伝わり、さらにその下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．施工された唐草２の唐草固定片２ｃを通って、
ロ．その唐草２の唐草面２ａと防水紙３の防水表面３ａに流れ込み、唐草面２ａの裏面に伝わり、さらにその下端から滴下して排出される。
【実施例３】
【００２９】
図１７，図１８，図１９，図２０，図２１，図２２，図２３，図２４，及び図２５は、この発明の実施例３を示すものである。
【００３０】
Ａ．図１８及び図１９に示す、実施例３においての屋根材１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ニ．その釘打片１ｇの途中に、次のような屋根木摺１ｈである屋根木摺脚１ｊを複数形成し、
ホ．その屋根木摺脚１ｊは、釘打片１ｇを釘打片１ｇの先端側の側板を欠くほぼ矩形の箱形に裏面側に突起させて形成し、
ｄ．それに、屋根材１の長手方向の一端に、次のような遮水突条１ｐと被重継端１ｑとを持つ被重継面１ｏを形成し、
イ．屋根板面１ｂの前端面１ｃと嵌合溝１ｅ側に、表面材１ａをほぼ線状に表面側に突起させた互いに並行する複数の遮水突条１ｐを形成し、
ロ．その屋根板面１ｂを延長して、表面側に鋭角的に折り曲げて、嵌合溝１ｅ側の折り曲げを押しつぶした被重継端１ｑとを持つ被重継面１ｏを形成し、
ｅ．また、次のような重継覆面１ｒと重継水抜１ｓと重継覆端１ｔと重継覆鈎１ｕと重継中溝１ｖとを、屋根材１の長手方向の他端に形成し、
イ．その屋根板面１ｂと前端面１ｃとを、裏面側に鋭角的に折り曲げた重継覆端１ｔを持つ、重継覆面１ｒを形成し、
ロ．その前端面１ｃと差込片１ｄとを一部切り欠いて、重継水抜１ｓを形成し、
ハ．その差込片１ｄを切り欠いて残し、表面側に少し拡張した重継覆鈎１ｕを形成し、
ニ．その釘打片１ｇとそれに続く嵌合溝１ｅの外側を切り欠いて、裏面側に少し押しつぶした重継中溝１ｖを形成し、
ｆ．それと共に、成形した表面材１ａの裏面側に、
イ．前端面１ｃと屋根板面１ｂとの屈曲部から、嵌合溝１ｅ側の側端に亘る間を、裏面材１ｍにより覆った、発泡合成樹脂６による次のような裏打材１ｌを形成し、
ロ．その裏打材１ｌの幅方向の断面は、屋根板面１ｂを底辺とし、その頂点が差込片１ｄ側によった薄い三角形に形成し、
ハ．それらの裏打材１ｌと裏面材１ｍとを切断して、長手方向の両端に切断面１ｎを形成し、
ニ．重継覆面１ｒの裏面の裏打材１ｌを無くしている。
【００３１】
Ｂ．図２０に示す、実施例３の唐草２と鼻覆２ｌは、
ａ．唐草２は、長尺の金属板５を成形して、
イ．ほぼ平坦な、唐草面２ａの一側端を裏面側に折り返し先端とし、他側端を裏面側に鈍角の小クランク状に折り曲げて、さらに表面側にＬ字形に折り曲げて、裏面側に折り返した、唐草爪２ｂを形成し、
ロ．その唐草爪２ｂを、鈍角的なクランク状に裏面側に折り曲げて、その先端を表面側に折り返した唐草固定片２ｃを形成し、
ハ．その唐草固定片２ｃの途中の裏面側に、次のような唐草台２ｉを複数貼り付けて、
ニ．その唐草台２ｉは合成樹脂板６ａを成形して、ほぼ矩形の台固定片２ｊを形成し、
ホ．その台固定片２ｊの短辺の一端を、裏面側にＬ字形に少し突起させて、台前面２ｋを形成し、
ヘ．唐草台２ｉの台固定片２ｊの表面を、唐草２の唐草固定片２ｃの裏面に、
ト．唐草台２ｉの台前面２ｋの表面を、唐草２の唐草面２ａの裏面に貼り付けて、
ｂ．また、鼻覆２ｌは、長尺の金属板５を成形して、
イ．ほぼ平坦な鼻前覆２ｎの一側端を、裏面側にＬ字形に折り曲げて、その先端を裏面側に折り返した鼻下覆２ｍを形成し、
ロ．その鼻前覆２ｎの他側端を、裏面側にＬ字形に折り曲げてその鼻下覆２ｍより延長し、その先端を表面側に折り返した鼻取付片２ｏを形成している。
【００３２】
Ｃ．図２１に示す、実施例３の防水紙３は、
ａ．防水紙３の表面に防水表面３ａと、その裏面の粘着面３ｂを形成している。
ｂ．ただし、粘着面３ｂは防水紙３の裏面であることを示し、粘着性能を有することが好ましいが、粘着性能が無くてもよい。
【００３３】
Ｄ．図１７，図２２，図２３，図２４，及び図２５に示す、実施例３の屋根４の施工は、既存屋根４ｉの改修であり、
ａ．その既存屋根４ｉは、一連の斜面の屋根下地４ｅの複数の垂木４ａの木口に鼻隠４ｂを取り付けてあり、
ｂ．その鼻隠４ｂと垂木４ａの先端部に乗せて、既存広小舞４ｋを取り付けて、
ｃ．その既存広小舞４ｋの先端の上方の角に、Ｌ字形の軒先水切４ｌを乗せて取り付けて、
ｄ．その軒先水切４ｌの先端から少し飛び出させて、繊維混入セメント板による既存葺材４ｊを互いに重複させて、複数施工されていて、
ｅ．その既存葺材４ｊの先端にその側端を合わせて乗せて、広小舞４ｄを取り付けて、
ｆ．その広小舞４ｄに接して野地板４ｃを既存葺材４ｊに乗せて取り付けて、
ｇ．その広小舞４ｄと既存葺材４ｊの先端とを、前記の鼻覆２ｌの鼻下覆２ｍと鼻前覆２ｎと鼻取付片２ｏとにより覆い、その鼻取付片２ｏを広小舞４ｄに釘打ち固定し、
ｈ．その鼻覆２ｌの鼻取付片２ｏとそれに続く野地板４ｃ上に、前記の防水紙３の粘着面３ｂを貼り付けて、
イ．その貼り付けた防水紙３の流れ方向の上方の側端に、他の防水紙３の側端を重ねて貼り付けて、
ロ．上記を繰り返して、その屋根４を形成する一連の斜面の鼻覆２ｌの鼻取付片２ｏとそれに続く野地板４ｃ上を、複数の防水紙３を貼り付けて覆い、
ｉ．その鼻覆２ｌの先端の上方の角に、前記の唐草２に貼り付けた唐草台２ｉの台前面２ｋと台固定片２ｊとの角を合わせて、
イ．その唐草台２ｉの台固定片２ｊを通して、唐草２の唐草固定片２ｃを広小舞４ｄに釘打ち固定し、
ｊ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇの屋根木摺脚１ｊを野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｋ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｌ．さらに、上記を以降の段に繰り返して、屋根４を形成する一連の斜面を屋根材１により覆い、
ｍ．上記の様にして施工された屋根材１の釘打片１ｇは、屋根木摺１ｈである屋根木摺脚１ｊにより、防水紙３から持ち上げられているため、
イ．防水紙３の防水表面３ａと、屋根材１の屋根木摺脚１ｊ以外の釘打片１ｇとの間の隙間による、木摺抜口４ｆと、
ロ．防水紙３の防水表面３ａと、屋根材１の裏打材１ｌとの間の隙間による、裏打隙間４ｈとを構成し、
ｎ．また、施工された唐草２は、唐草台２ｉを介して鼻覆２ｌの上に乗っていることにより、鼻覆２ｌと唐草２との間に隙間が形成され、唐草抜口４ｇを構成している。
【００３４】
Ｅ．前記の実施例３の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇが、屋根木摺１ｈである屋根木摺脚１ｊにより、防水紙３から持ち上げられているため、
ロ．防水紙３の防水表面３ａと、屋根材１の屋根木摺脚１ｊ以外の釘打片１ｇとの間の隙間による、木摺抜口４ｆを通じて、
ハ．後者の屋根材１の裏打材１ｌによる、裏打隙間４ｈの防水紙３の防水表面３ａに流れ込み、
ニ．以下の段にも同様に繰り返して、施工された唐草２の唐草固定片２ｃと鼻覆２ｌの鼻取付片２ｏとの隙間に流れ込み、
ホ．次に、その唐草２の唐草面２ａと鼻覆２ｌの鼻前覆２ｎとの隙間に流れ込み、唐草面２ａの裏面に伝わり、さらにその下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．施工された唐草２の唐草固定片２ｃを通って、
ロ．その唐草２の唐草固定片２ｃと鼻覆２ｌの鼻取付片２ｏとの隙間に流れ込み、
ハ．その唐草２の唐草面２ａと鼻覆２ｌの鼻前覆２ｎとの隙間に流れ込み、唐草面２ａの裏面に伝わり、さらにその下端から滴下して排出される。
【実施例４】
【００３５】
図２１，図２６，図２７，図２８，図２９，図３０，図３１，図３２，及び図３３は、この発明の実施例４を示すものである。
【００３６】
Ａ．図２７及び図２８に示す、実施例４においての屋根材１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ニ．その釘打片１ｇの途中に、次のような屋根木摺１ｈである屋根木摺板１ｉを複数貼り付けし、
ホ．その屋根木摺板１ｉは合成樹脂板６ａを成形して、ほぼ矩形の小さな矩形の板状に形成し、
ｄ．それに、屋根材１の長手方向の一端に、次のような遮水突条１ｐと被重継端１ｑとを持つ被重継面１ｏを形成し、
イ．屋根板面１ｂの前端面１ｃと嵌合溝１ｅ側に、表面材１ａをほぼ線状に表面側に突起させた互いに並行する複数の遮水突条１ｐを形成し、
ロ．その屋根板面１ｂを延長して、表面側に鋭角的に折り曲げて、嵌合溝１ｅ側の折り曲げを押しつぶした被重継端１ｑとを持つ被重継面１ｏを形成し、
ｅ．また、次のような重継覆面１ｒと重継水抜１ｓと重継覆端１ｔと重継覆鈎１ｕと重継中溝１ｖとを、屋根材１の長手方向の他端に形成し、
イ．その屋根板面１ｂと前端面１ｃとを、裏面側に鋭角的に折り曲げた重継覆端１ｔを持つ、重継覆面１ｒを形成し、
ロ．その前端面１ｃと差込片１ｄとを一部切り欠いて、重継水抜１ｓを形成し、
ハ．その差込片１ｄを切り欠いて残し、表面側に少し拡張した重継覆鈎１ｕを形成し、
ニ．その釘打片１ｇとそれに続く嵌合溝１ｅの外側を切り欠いて、裏面側に少し押しつぶした重継中溝１ｖを形成し、
ｆ．それと共に、成形した表面材１ａの裏面側に、
イ．前端面１ｃと屋根板面１ｂとの屈曲部から、嵌合溝１ｅ側の側端に亘る間を、裏面材１ｍにより覆った、発泡合成樹脂６による次のような裏打材１ｌを形成し、
ロ．その裏打材１ｌの幅方向の断面は、屋根板面１ｂを底辺とし、その頂点が差込片１ｄ側によった薄い三角形に形成し、
ハ．それらの裏打材１ｌと裏面材１ｍとを切断して、長手方向の両端に切断面１ｎを形成し、
ニ．重継覆面１ｒの裏面の裏打材１ｌを無くしている。
【００３７】
Ｂ．図２９に示す、実施例４の唐草２は、
ａ．その唐草２は、長尺の金属板５を成形して、
ｂ．一側端を裏面側に折り返し先端とした、ほぼ平坦な唐草面２ａの他側端を表側にＬ字形に折り曲げて、裏面側に折り返した、唐草爪２ｂを形成し、
ｃ．その唐草爪２ｂを、鈍角的なクランク状に裏面側に折り曲げて、その先端を表面側にナス型にふくらませて、折り返した唐草固定片２ｃを形成し、
イ．その唐草爪２ｂ側からの唐草固定片２ｃの表面側への屈曲部に、ほぼ円形で、その中心を置く小孔をあけた、取入口２ｄを多数形成し、
ｄ．その唐草固定片２ｃを折返して、また唐草固定片２ｃの裏面に接する、鼻覆２ｌの鼻取付片２ｏとして形成し、
ｅ．その鼻取付片２ｏをＬ字形に表面側に折り曲げて、鼻前覆２ｎを形成し、
ｆ．その鼻前覆２ｎをさらにくの字形に裏面側に折り曲げた、取入底２ｇを形成し、
ｇ．その取入底２ｇを鋭角的に表面側に折り曲げて、鼻取付片２ｏに平行でその先端を表面側に折り返した鼻下覆２ｍを形成し、
ｈ．その取入底２ｇと鼻前覆２ｎとの屈曲部と、前記の唐草面２ａとの間に隙間を形成して、排出口２ｈを構成している。
【００３８】
Ｃ．図２１に示す、実施例４においての防水紙３は、実施例３と同じものである。
【００３９】
Ｄ．図２６，図３０，図３１，図３２，及び図３３に示す、実施例４の屋根４の施工は、既存屋根４ｉの改修であり、
ａ．その既存屋根４ｉは、一連の斜面の屋根下地４ｅの複数の垂木４ａの木口に鼻隠４ｂを取り付けてあり、
ｂ．その鼻隠４ｂと垂木４ａの先端部に乗せて、既存広小舞４ｋを取り付けて、
ｃ．その既存広小舞４ｋの先端の上方の角に、Ｌ字形の軒先水切４ｌを乗せて取り付けて、
ｄ．その軒先水切４ｌの先端から少し飛び出させて、繊維混入セメント板による既存葺材４ｊを互いに重複させて、複数施工されていて、
ｅ．その既存葺材４ｊの先端にその側端を合わせて乗せて、広小舞４ｄを取り付けて、
ｆ．その広小舞４ｄに接して野地板４ｃを既存葺材４ｊに乗せて取り付けて、
ｇ．その広小舞４ｄと既存葺材４ｊの先端とを、前記の唐草２の鼻覆２ｌの鼻下覆２ｍと鼻前覆２ｎと鼻取付片２ｏとにより覆い、その唐草２の唐草固定片２ｃを広小舞４ｄに釘打ち固定し、
ｈ．その唐草２の唐草固定片２ｃとそれに続く野地板４ｃ上に、前記の防水紙３の粘着面３ｂを貼り付けて、
イ．その貼り付けた防水紙３の流れ方向の上方の側端に、他の防水紙３の側端を重ねて貼り付けて、
ロ．上記を繰り返して、その屋根４を形成する一連の斜面の唐草２の唐草固定片２ｃとそれに続く野地板４ｃ上を、複数の防水紙３を貼り付けて覆い、
ｉ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇを屋根木摺板１ｉを介して野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｋ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｌ．さらに、上記を以降の段に繰り返して、屋根４を形成する一連の斜面を屋根材１により覆い、
ｍ．上記の様にして施工された屋根材１の釘打片１ｇは、屋根木摺１ｈである屋根木摺板１ｉにより、防水紙３から持ち上げられているため、
イ．防水紙３の防水表面３ａと、屋根材１の屋根木摺板１ｉ以外の釘打片１ｇとの間の隙間による、木摺抜口４ｆと、
ロ．防水紙３の防水表面３ａと、屋根材１の裏打材１ｌとの間の隙間による、裏打隙間４ｈとを構成し、
ｎ．また、施工された唐草２には、
イ．唐草爪２ｂ側へ表面側に曲がる唐草固定片２ｃの屈曲部に形成した、取入口２ｄと、
ロ．取入底２ｇと鼻前覆２ｎとの屈曲部と、唐草面２ａとの間の隙間の、排出口２ｈとにより、唐草抜口４ｇを構成している。
【００４０】
Ｅ．前記の実施例４の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇが、屋根木摺１ｈである屋根木摺板１ｉにより、防水紙３から持ち上げられているため、
ロ．防水紙３の防水表面３ａと、屋根材１の屋根木摺板１ｉ以外の釘打片１ｇとの間の隙間による、木摺抜口４ｆを通じて、
ハ．後者の屋根材１の裏打材１ｌによる、裏打隙間４ｈの防水紙３の防水表面３ａに流れ込み、
ニ．以下の段にも同様に繰り返して、施工された唐草２の唐草固定片２ｃの上に流れ込み、
ホ．その唐草爪２ｂ側へ表面側に曲がる唐草固定片２ｃの屈曲部に形成した、取入口２ｄに流れ込み、
ヘ．次に、その唐草２の鼻覆２ｌの鼻前覆２ｎと取入底２ｇを伝わり、
ト．さらに、その排出口２ｈを通じて、唐草面２ａの裏面に伝わり、その下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．施工された唐草２の唐草固定片２ｃの上に流れ込み、
ロ．その唐草爪２ｂ側へ表面側に曲がる唐草固定片２ｃの屈曲部に形成した、取入口２ｄに流れ込み、
ハ．次に、その唐草２の鼻覆２ｌの鼻前覆２ｎと取入底２ｇを伝わり、
ニ．さらに、その排出口２ｈを通じて、唐草面２ａの裏面に伝わり、その下端から滴下して排出される。
【実施例５】
【００４１】
図２１，図３４，図３５，図３６，図３７，図３８，図３９，及び図４０は、この発明の実施例５を示すものである。
【００４２】
Ａ．図３５に示す、実施例５においての屋根材１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ニ．その釘打片１ｇの途中に、次のような屋根木摺１ｈである屋根木摺口１ｋを複数形成し、
ホ．その屋根木摺口１ｋは、次のように切欠いた形に形成し、
ヘ．その切欠いた形は、釘打片１ｇの側端に直角で、嵌合片１ｆ側から表面側への屈曲部において、半円形に折り返し、釘打片１ｇの側端に直角に戻る形状に形成し、
ｄ．それに、屋根材１の長手方向の一端に、次のような遮水突条１ｐと被重継端１ｑとを持つ被重継面１ｏを形成し、
イ．屋根板面１ｂの前端面１ｃと嵌合溝１ｅ側に、表面材１ａをほぼ線状に表面側に突起させた互いに並行する複数の遮水突条１ｐを形成し、
ロ．その屋根板面１ｂを延長して、表面側に鋭角的に折り曲げて、嵌合溝１ｅ側の折り曲げを押しつぶした被重継端１ｑとを持つ被重継面１ｏを形成し、
ｅ．また、次のような重継覆面１ｒと重継水抜１ｓと重継覆端１ｔと重継覆鈎１ｕと重継中溝１ｖとを、屋根材１の長手方向の他端に形成し、
イ．その屋根板面１ｂと前端面１ｃとを、裏面側に鋭角的に折り曲げた重継覆端１ｔを持つ、重継覆面１ｒを形成し、
ロ．その前端面１ｃと差込片１ｄとを一部切り欠いて、重継水抜１ｓを形成し、
ハ．その差込片１ｄを切り欠いて残し、表面側に少し拡張した重継覆鈎１ｕを形成し、
ニ．その釘打片１ｇとそれに続く嵌合溝１ｅの外側を切り欠いて、裏面側に少し押しつぶした重継中溝１ｖを形成し、
ｆ．それと共に、成形した表面材１ａの裏面側に、
イ．前端面１ｃと屋根板面１ｂとの屈曲部から、嵌合溝１ｅ側の側端に亘る間を、裏面材１ｍにより覆った、発泡合成樹脂６による次のような裏打材１ｌを形成し、
ロ．その裏打材１ｌの幅方向の断面は、屋根板面１ｂを底辺とし、その頂点が差込片１ｄ側によった薄い三角形に形成し、
ハ．それらの裏打材１ｌと裏面材１ｍとを切断して、長手方向の両端に切断面１ｎを形成し、
ニ．重継覆面１ｒの裏面の裏打材１ｌを無くしている。
【００４３】
Ｂ．図３６に示す、実施例５の唐草２と鼻覆２ｌは、
ａ．唐草２は、長尺の金属板５を成形して、
イ．ほぼ平坦な、唐草面２ａの一側端をを裏面側に折り返し先端とし、他側端を表面側に少し鈍角に折り曲げて、裏面側に折り返した、唐草爪２ｂを形成し、
ロ．その唐草爪２ｂを、鈍角的なクランク状に裏面側に折り曲げて、その先端を表面側に折り返した唐草固定片２ｃを形成し、
ハ．その唐草固定片２ｃの屈曲部において、次のように金属板５に切り込みを入れて、切起片２ｅと取入口２ｄとを複数形成して、
ニ．その切り込みは、表面側への屈曲部の唐草爪２ｂ側から、唐草固定片２ｃの先端側に、その唐草固定片２ｃの側端に対して直角に切り込み、さらに、その屈曲部を越えてから、コの字形に折返して、再度、屈曲部を越えて切り込み、その開始の位置と幅方向において同じ位置まで切り込みし、
ホ．その切り込みした内側の金属板５を、裏面側にＬ字形に折り曲げて、さらに、唐草固定片２ｃの延長面に合わせて、裏面側にくの字形に折り曲げて、そして、Ｌ字形に表面側に折り曲げた切起爪２ｆを持つ、切起片２ｅを形成し、
ヘ．その切起片２ｅを切り起こした、唐草固定片２ｃの孔により取入口２ｄを形成し、
ｂ．また、鼻覆２ｌは、長尺の金属板５を成形して、
イ．ほぼ平坦な鼻前覆２ｎの一側端を、裏面側にＬ字形に折り曲げて、その先端を裏面側に折り返した鼻下覆２ｍを形成し、
ロ．その鼻前覆２ｎの他側端を、裏面側にＬ字形に折り曲げてその鼻下覆２ｍより延長し、その先端を表面側に折り返した鼻取付片２ｏを形成している。
【００４４】
Ｃ．図２１に示す、実施例５においての防水紙３は、実施例３と同じものである。
【００４５】
Ｄ．図３４，図３７，図３８，図３９，及び図４０に示す、実施例５の屋根４の施工は、既存屋根４ｉの改修であり、
ａ．その既存屋根４ｉは、一連の斜面の屋根下地４ｅの複数の垂木４ａの木口に鼻隠４ｂを取り付けてあり、
ｂ．その鼻隠４ｂと垂木４ａの先端部に乗せて、既存広小舞４ｋを取り付けて、
ｃ．その既存広小舞４ｋの先端の上方の角に、Ｌ字形の軒先水切４ｌを乗せて取り付けて、
ｄ．その軒先水切４ｌの先端から少し飛び出させて、繊維混入セメント板による既存葺材４ｊを互いに重複させて、複数施工されていて、
ｅ．その既存葺材４ｊの先端にその側端を合わせて乗せて、広小舞４ｄを取り付けて、
ｆ．その広小舞４ｄに接して野地板４ｃを既存葺材４ｊに乗せて取り付けて、
ｇ．その広小舞４ｄと既存葺材４ｊの先端とを、前記の鼻覆２ｌの鼻下覆２ｍと鼻前覆２ｎと鼻取付片２ｏとにより覆い、その鼻取付片２ｏを広小舞４ｄに釘打ち固定し、
ｈ．その鼻覆２ｌの先端の上方の角に、前記の唐草２の切起片２ｅと切起爪２ｆとの角を合わせて、
イ．その唐草２の唐草固定片２ｃを広小舞４ｄに釘打ち固定し、
ｉ．その唐草２の唐草固定片２ｃと、鼻覆２ｌの鼻取付片２ｏとそれに続く野地板４ｃ上に、前記の防水紙３の粘着面３ｂを貼り付けて、
イ．その貼り付けた防水紙３の流れ方向の上方の側端に、他の防水紙３の側端を重ねて貼り付けて、
ロ．上記を繰り返して、その屋根４を形成する一連の斜面の鼻覆２ｌの鼻取付片２ｏとそれに続く野地板４ｃ上を、複数の防水紙３を貼り付けて覆い、
ｊ．そして、固定された唐草２の唐草爪２ｂと唐草面２ａとの間に、屋根材１の差込片１ｄを差し込み、その唐草爪２ｂの先端に、その屋根材１の前端面１ｃの裏面に当てて、その釘打片１ｇを野地板４ｃに釘打ち固定し、
イ．その固定された屋根材１の被重継面１ｏに、他の屋根材１の重継覆面１ｒを重ねて、
ロ．前者の嵌合溝１ｅに、後者の重継中溝１ｖを差し込み、
ハ．前者の前端面１ｃと差込片１ｄとが、後者の前端面１ｃと重継覆鈎１ｕに差し込まれて、
ニ．後者の釘打片１ｇを野地板４ｃに釘打ち固定し、
ホ．上記を繰り返して、屋根４を形成する一連の斜面の全幅を屋根材１により覆い、
ｋ．それらの固定された、屋根材１の列の、嵌合溝１ｅに、他の屋根材１の差込片１ｄを差し込み、次のように施工し、
イ．前者の屋根材１の被重継面１ｏの位置と、後者の屋根材１の被重継面１ｏの位置とがずれるように設定し、その釘打片１ｇを野地板４ｃに釘打ち固定し、
ロ．上記と同様にして、屋根４を形成する一連の斜面の次の段の全幅を屋根材１により覆い、
ｌ．さらに、上記を以降の段に繰り返して、屋根４を形成する一連の斜面を屋根材１により覆い、
ｍ．上記の様にして施工された屋根材１の釘打片１ｇの屋根木摺口１ｋによる、木摺抜口４ｆと、
イ．防水紙３の防水表面３ａと、屋根材１の裏打材１ｌとの間の隙間による、裏打隙間４ｈとを構成し、
ｎ．また、施工された唐草２の、取入口２ｄと、鼻覆２ｌと唐草２との間の隙間が形成されて、排出口２ｈを形成されて、唐草抜口４ｇを構成している。
【００４６】
Ｅ．前記の実施例５の屋根４において屋根材１の裏側に侵入する雨水は、
ａ．まず、前記の屋根材１の嵌合溝１ｅに差し込まれる、他の屋根材１の差込片１ｄとの間から、屋根板面１ｂを流れる雨水の水圧や風圧等により押されて、
イ．嵌合片１ｆを乗り越えて釘打片１ｇに流れ込み、その先端の折返しを乗り越えるものと、
ｂ．次に、屋根材１の被重継面１ｏに重ねた、他の屋根材１の重継覆面１ｒの重継覆端１ｔと、前者の屋根板面１ｂとの間の隙間から、水圧や風圧等により押されて、
イ．前者の被重継面１ｏの複数の遮水突条１ｐと被重継端１ｑの折返し等により、遮られて大部分は重継水抜１ｓより屋根板面１ｂに排出されるが、一部にそれらを乗り越えるものがあり、
ｃ．それらは、屋根材１の裏打材１ｌによる、裏打隙間４ｈの防水紙３の防水表面３ａに流れ込み、
イ．下方の段の屋根材１の釘打片１ｇの屋根木摺口１ｋによる、屋根木摺１ｈである木摺抜口４ｆを通じて、
ロ．後者の屋根材１の裏打材１ｌによる、裏打隙間４ｈの防水紙３の防水表面３ａに流れ込み、
ハ．以下の段にも同様に繰り返して、施工された唐草２の唐草固定片２ｃの上に流れ込み、
ニ．その唐草爪２ｂ側へ表面側に曲がる唐草固定片２ｃの屈曲部に形成した、取入口２ｄに流れ込み、
ヘ．次に、鼻覆２ｌの鼻取付片２ｏから鼻前覆２ｎを伝わり、
ト．さらに、その排出口２ｈを通じて、唐草面２ａの裏面に伝わり、その下端から滴下して排出され、
ｄ．また、施工された唐草２の唐草爪２ｂと、それに掛かる屋根材１の差込片１ｄとの隙間から、風圧により押されて、唐草２の唐草爪２ｂの裏面に流れ込む雨水は、
イ．施工された唐草２の唐草固定片２ｃの上に流れ込み、
ロ．その唐草爪２ｂ側へ表面側に曲がる唐草固定片２ｃの屈曲部に形成した、取入口２ｄに流れ込み、
ハ．次に、その唐草２の唐草固定片２ｃの屈曲部と、鼻覆２ｌの鼻取付片２ｏとの隙間に伝わり、
ニ．さらに、その鼻前覆２ｎから排出口２ｈを通じて、唐草面２ａの裏面に伝わり、その下端から滴下して排出される。
【図面の簡単な説明】
【００４７】
【図１】屋根の施工状態を示す一部省略説明図（実施例１）
【図２】屋根材の表側を示す一部省略斜視図（実施例１、２）
【図３】屋根材の裏側を示す一部省略斜視図（実施例１、２）
【図４】唐草を示す一部省略斜視図（実施例１）
【図５】防水紙を示す一部省略斜視図（実施例１）
【図６】屋根の施工状態を示す一部省略斜視図（実施例１）
【図７】屋根の施工状態を示す一部省略斜視図（実施例１）
【図８】屋根の施工状態を示す一部省略斜視図（実施例１）
【図９】屋根の施工状態を示す一部省略斜視図（実施例１）
【図１０】屋根の施工状態を示す一部省略説明図（実施例２）
【図１１】唐草を示す一部省略斜視図（実施例２）
【図１２】防水紙を示す一部省略斜視図（実施例２）
【図１３】屋根の施工状態を示す一部省略斜視図（実施例２）
【図１４】屋根の施工状態を示す一部省略斜視図（実施例２）
【図１５】屋根の施工状態を示す一部省略斜視図（実施例２）
【図１６】屋根の施工状態を示す一部省略斜視図（実施例２）
【図１７】屋根の施工状態を示す一部省略説明図（実施例３）
【図１８】屋根材の表側を示す一部省略斜視図（実施例３）
【図１９】屋根材の表側を示す一部省略斜視図（実施例３）
【図２０】唐草を示す一部省略斜視図（実施例３）
【図２１】防水紙を示す一部省略斜視図（実施例３〜５）
【図２２】屋根の施工状態を示す一部省略斜視図（実施例３）
【図２３】屋根の施工状態を示す一部省略斜視図（実施例３）
【図２４】屋根の施工状態を示す一部省略斜視図（実施例３）
【図２５】屋根の施工状態を示す一部省略斜視図（実施例３）
【図２６】屋根の施工状態を示す一部省略説明図（実施例４）
【図２７】屋根材の表側を示す一部省略斜視図（実施例４）
【図２８】屋根材の表側を示す一部省略斜視図（実施例４）
【図２９】唐草を示す一部省略斜視図（実施例４）
【図３０】屋根の施工状態を示す一部省略斜視図（実施例４）
【図３１】屋根の施工状態を示す一部省略斜視図（実施例４）
【図３２】屋根の施工状態を示す一部省略斜視図（実施例４）
【図３３】屋根の施工状態を示す一部省略斜視図（実施例４）
【図３４】屋根の施工状態を示す一部省略説明図（実施例５）
【図３５】屋根材の表側を示す一部省略斜視図（実施例５）
【図３６】唐草を示す一部省略斜視図（実施例５）
【図３７】屋根の施工状態を示す一部省略斜視図（実施例５）
【図３８】屋根の施工状態を示す一部省略斜視図（実施例５）
【図３９】屋根の施工状態を示す一部省略斜視図（実施例５）
【図４０】屋根の施工状態を示す一部省略斜視図（実施例５）
【符号の説明】
【００４８】
１  屋根材
２  唐草
３  防水紙
４  屋根
５  金属板
６  合成樹脂